(57)【要約】      （修正有）【課題】表示品位の良好な液晶表示装置を提供する。【解決手段】第１、第２基板の外側に、クロスニコルに配置される第１、第２偏光板と、第２基板と第２偏光板の間に配置される、厚さ方向位相差が２１０ｎｍ〜２３０ｎｍのＣプレート、及び、厚さ方向位相差が４３０ｎｍ〜４５０ｎｍの二軸フィルムと、第２偏光板の、第２基板とは反対側に配置される白色光源とを有し、垂直配向液晶層の中央分子配向方位は、第１、第２偏光板の吸収軸方位と４５°の角度をなし、かつ、第１方向から（９０＋θ）°だけ時計回り方向に回転した方向であり、θは、θｌ以上、θｕ以下の角度であり、特定の式で表される、θｌ、θｕは、θｌ＜θｕを満たす正の角度である。【選択図】図１
2017198774.tif 000002
【特許請求の範囲】
【請求項１】
第１電極を備える第１基板と、
第２電極を備え、前記第１基板に略平行に対向配置される第２基板と、
前記第１、第２基板間に配置される垂直配向液晶層と、
前記第１基板の前記垂直配向液晶層とは反対側に配置される第１偏光板と、
前記第２基板の前記垂直配向液晶層とは反対側に、前記第１偏光板とクロスニコルに配置される第２偏光板と、
前記第２基板と前記第２偏光板との間に配置される、厚さ方向位相差が２１０ｎｍ〜２３０ｎｍのＣプレート、及び、厚さ方向位相差が４３０ｎｍ〜４５０ｎｍの二軸フィルムと、
前記第２偏光板の、前記第２基板とは反対側に配置される白色光源と
を有し、
前記垂直配向液晶層の中央分子配向方位は、前記第１及び第２偏光板の吸収軸方位と４５°の角度をなし、かつ、第１方向から（９０＋θ）°だけ時計回り方向に回転した方向であり、
前記θは、θｌ以上、θｕ以下の角度であり、
前記θｌ、θｕは、θｌ＜θｕを満たす正の角度であって、前記垂直配向液晶層のリタデーションをΔｎｄ、前記二軸フィルムの面内位相差をＲｅとするとき、
2017198774.tif 000035
2017198774.tif 000036
で表される液晶表示装置。
【請求項２】
第１電極を備える第１基板と、
第２電極を備え、前記第１基板に略平行に対向配置される第２基板と、
前記第１、第２基板間に配置される垂直配向液晶層と、
前記第１基板の前記垂直配向液晶層とは反対側に配置される第１偏光板と、
前記第２基板の前記垂直配向液晶層とは反対側に、前記第１偏光板とクロスニコルに配置される第２偏光板と、
前記第１基板と前記第１偏光板との間に配置される、厚さ方向位相差が２１０ｎｍ〜２３０ｎｍのＣプレートと、
前記第２基板と前記第２偏光板との間に配置される、厚さ方向位相差が４３０ｎｍ〜４５０ｎｍの二軸フィルムと、
前記第２偏光板の、前記第２基板とは反対側に配置される白色光源と
を有し、
前記垂直配向液晶層の中央分子配向方位は、前記第１及び第２偏光板の吸収軸方位と４５°の角度をなし、かつ、第１方向から（９０＋θ）°だけ時計回り方向に回転した方向であり、
前記θは、θｌ以上、θｕ以下の角度であり、
前記θｌ、θｕは、θｌ＜θｕを満たす正の角度であって、前記垂直配向液晶層のリタデーションをΔｎｄ、前記二軸フィルムの面内位相差をＲｅとするとき、
2017198774.tif 000037
2017198774.tif 000038
で表される液晶表示装置。
【請求項３】
第１電極を備える第１基板と、
第２電極を備え、前記第１基板に略平行に対向配置される第２基板と、
前記第１、第２基板間に配置される垂直配向液晶層と、
前記第１基板の前記垂直配向液晶層とは反対側に配置される第１偏光板と、
前記第２基板の前記垂直配向液晶層とは反対側に、前記第１偏光板とクロスニコルに配置される第２偏光板と、
前記第１基板と前記第１偏光板との間に配置される、厚さ方向位相差が４３０ｎｍ〜４５０ｎｍの二軸フィルムと、
前記第２基板と前記第２偏光板との間に配置される、厚さ方向位相差が２１０ｎｍ〜２３０ｎｍのＣプレートと、
前記第２偏光板の、前記第２基板とは反対側に配置される白色光源と
を有し、
前記垂直配向液晶層の中央分子配向方位は、前記第１及び第２偏光板の吸収軸方位と４５°の角度をなし、かつ、第１方向から（９０＋θ）°だけ時計回り方向に回転した方向であり、
前記θは、θｌ以上、θｕ以下の角度であり、
前記θｌ、θｕは、θｌ＜θｕを満たす正の角度であって、前記垂直配向液晶層のリタデーションをΔｎｄ、前記二軸フィルムの面内位相差をＲｅとするとき、
2017198774.tif 000039
2017198774.tif 000040
で表される液晶表示装置。
【請求項４】
第１電極を備える第１基板と、
第２電極を備え、前記第１基板に略平行に対向配置される第２基板と、
前記第１、第２基板間に配置される垂直配向液晶層と、
前記第１基板の前記垂直配向液晶層とは反対側に配置される第１偏光板と、
前記第２基板の前記垂直配向液晶層とは反対側に、前記第１偏光板とクロスニコルに配置される第２偏光板と、
前記第２基板と前記第２偏光板との間に配置される、厚さ方向位相差が４３０ｎｍ〜４５０ｎｍのＣプレート、及び、厚さ方向位相差が２１０ｎｍ〜２３０ｎｍの二軸フィルムと、
前記第２偏光板の、前記第２基板とは反対側に配置される白色光源と
を有し、
前記垂直配向液晶層の中央分子配向方位は、前記第１及び第２偏光板の吸収軸方位と４５°の角度をなし、かつ、第１方向から（９０＋θ）°だけ時計回り方向に回転した方向であり、
前記θは、θｌ以上、θｕ以下の角度であり、
前記θｌ、θｕは、θｌ＜θｕを満たす正の角度であって、前記垂直配向液晶層のリタデーションをΔｎｄ、前記二軸フィルムの面内位相差をＲｅとするとき、
2017198774.tif 000041
2017198774.tif 000042
で表される液晶表示装置。
【請求項５】
第１電極を備える第１基板と、
第２電極を備え、前記第１基板に略平行に対向配置される第２基板と、
前記第１、第２基板間に配置される垂直配向液晶層と、
前記第１基板の前記垂直配向液晶層とは反対側に配置される第１偏光板と、
前記第２基板の前記垂直配向液晶層とは反対側に、前記第１偏光板とクロスニコルに配置される第２偏光板と、
前記第１基板と前記第１偏光板との間に配置される、厚さ方向位相差が４３０ｎｍ〜４５０ｎｍのＣプレートと、
前記第２基板と前記第２偏光板との間に配置される、厚さ方向位相差が２１０ｎｍ〜２３０ｎｍの二軸フィルムと、
前記第２偏光板の、前記第２基板とは反対側に配置される白色光源と
を有し、
前記垂直配向液晶層の中央分子配向方位は、前記第１及び第２偏光板の吸収軸方位と４５°の角度をなし、かつ、第１方向から（９０＋θ）°だけ時計回り方向に回転した方向であり、
前記θは、θｌ以上、θｕ以下の角度であり、
前記θｌ、θｕは、θｌ＜θｕを満たす正の角度であって、前記垂直配向液晶層のリタデーションをΔｎｄ、前記二軸フィルムの面内位相差をＲｅとするとき、
2017198774.tif 000043
2017198774.tif 000044
で表される液晶表示装置。
【請求項６】
第１電極を備える第１基板と、
第２電極を備え、前記第１基板に略平行に対向配置される第２基板と、
前記第１、第２基板間に配置される垂直配向液晶層と、
前記第１基板の前記垂直配向液晶層とは反対側に配置される第１偏光板と、
前記第２基板の前記垂直配向液晶層とは反対側に、前記第１偏光板とクロスニコルに配置される第２偏光板と、
前記第１基板と前記第１偏光板との間に配置される、厚さ方向位相差が２１０ｎｍ〜２３０ｎｍの二軸フィルムと、
前記第２基板と前記第２偏光板との間に配置される、厚さ方向位相差が４３０ｎｍ〜４５０ｎｍのＣプレートと、
前記第２偏光板の、前記第２基板とは反対側に配置される白色光源と
を有し、
前記垂直配向液晶層の中央分子配向方位は、前記第１及び第２偏光板の吸収軸方位と４５°の角度をなし、かつ、第１方向から（９０＋θ）°だけ時計回り方向に回転した方向であり、
前記θは、θｌ以上、θｕ以下の角度であり、
前記θｌ、θｕは、θｌ＜θｕを満たす正の角度であって、前記垂直配向液晶層のリタデーションをΔｎｄ、前記二軸フィルムの面内位相差をＲｅとするとき、
2017198774.tif 000045
2017198774.tif 000046
で表される液晶表示装置。
【請求項７】
第１電極を備える第１基板と、
第２電極を備え、前記第１基板に略平行に対向配置される第２基板と、
前記第１、第２基板間に配置される垂直配向液晶層と、
前記第１基板の前記垂直配向液晶層とは反対側に配置される第１偏光板と、
前記第２基板の前記垂直配向液晶層とは反対側に、前記第１偏光板とクロスニコルに配置される第２偏光板と、
前記第２基板と前記第２偏光板との間に配置される、厚さ方向位相差が５２５ｎｍ〜５４５ｎｍのＣプレート、及び、厚さ方向位相差が１１５ｎｍ〜１３５ｎｍの二軸フィルムと、
前記第２偏光板の、前記第２基板とは反対側に配置される白色光源と
を有し、
前記垂直配向液晶層の中央分子配向方位は、前記第１及び第２偏光板の吸収軸方位と４５°の角度をなし、かつ、第１方向から（９０＋θ）°だけ時計回り方向に回転した方向であり、
前記θは、θｌ以上、θｕ以下の角度であり、
前記θｌ、θｕは、θｌ＜θｕを満たす正の角度であって、前記垂直配向液晶層のリタデーションをΔｎｄ、前記二軸フィルムの面内位相差をＲｅとするとき、
2017198774.tif 000047
2017198774.tif 000048
で表される液晶表示装置。
【請求項８】
第１電極を備える第１基板と、
第２電極を備え、前記第１基板に略平行に対向配置される第２基板と、
前記第１、第２基板間に配置される垂直配向液晶層と、
前記第１基板の前記垂直配向液晶層とは反対側に配置される第１偏光板と、
前記第２基板の前記垂直配向液晶層とは反対側に、前記第１偏光板とクロスニコルに配置される第２偏光板と、
前記第１基板と前記第１偏光板との間に配置される、厚さ方向位相差が５２５ｎｍ〜５４５ｎｍのＣプレートと、
前記第２基板と前記第２偏光板との間に配置される、厚さ方向位相差が１１５ｎｍ〜１３５ｎｍの二軸フィルムと、
前記第２偏光板の、前記第２基板とは反対側に配置される白色光源と
を有し、
前記垂直配向液晶層の中央分子配向方位は、前記第１及び第２偏光板の吸収軸方位と４５°の角度をなし、かつ、第１方向から（９０＋θ）°だけ時計回り方向に回転した方向であり、
前記θは、θｌ以上、θｕ以下の角度であり、
前記θｌ、θｕは、θｌ＜θｕを満たす正の角度であって、前記垂直配向液晶層のリタデーションをΔｎｄ、前記二軸フィルムの面内位相差をＲｅとするとき、
2017198774.tif 000049
2017198774.tif 000050
で表される液晶表示装置。
【請求項９】
第１電極を備える第１基板と、
第２電極を備え、前記第１基板に略平行に対向配置される第２基板と、
前記第１、第２基板間に配置される垂直配向液晶層と、
前記第１基板の前記垂直配向液晶層とは反対側に配置される第１偏光板と、
前記第２基板の前記垂直配向液晶層とは反対側に、前記第１偏光板とクロスニコルに配置される第２偏光板と、
前記第１基板と前記第１偏光板との間に配置される、厚さ方向位相差が１１５ｎｍ〜１３５ｎｍの二軸フィルムと、
前記第２基板と前記第２偏光板との間に配置される、厚さ方向位相差が５２５ｎｍ〜５４５ｎｍのＣプレートと、
前記第２偏光板の、前記第２基板とは反対側に配置される白色光源と
を有し、
前記垂直配向液晶層の中央分子配向方位は、前記第１及び第２偏光板の吸収軸方位と４５°の角度をなし、かつ、第１方向から（９０＋θ）°だけ時計回り方向に回転した方向であり、
前記θは、θｌ以上、θｕ以下の角度であり、
前記θｌ、θｕは、θｌ＜θｕを満たす正の角度であって、前記垂直配向液晶層のリタデーションをΔｎｄ、前記二軸フィルムの面内位相差をＲｅとするとき、
2017198774.tif 000051
2017198774.tif 000052
で表される液晶表示装置。
【請求項１０】
第１電極を備える第１基板と、
第２電極を備え、前記第１基板に略平行に対向配置される第２基板と、
前記第１、第２基板間に配置される垂直配向液晶層と、
前記第１基板の前記垂直配向液晶層とは反対側に配置される第１偏光板と、
前記第２基板の前記垂直配向液晶層とは反対側に、前記第１偏光板とクロスニコルに配置される第２偏光板と、
前記第２基板と前記第２偏光板との間に配置される、厚さ方向位相差が６５０ｎｍ〜６７０ｎｍの二軸フィルムと、
前記第２偏光板の、前記第２基板とは反対側に配置される白色光源と
を有し、
前記垂直配向液晶層の中央分子配向方位は、前記第１及び第２偏光板の吸収軸方位と４５°の角度をなし、かつ、第１方向から（９０＋θ）°だけ時計回り方向に回転した方向であり、
前記θは、θｌ以上、θｕ以下の角度であり、
前記θｌ、θｕは、θｌ＜θｕを満たす正の角度であって、前記垂直配向液晶層のリタデーションをΔｎｄ、前記二軸フィルムの面内位相差をＲｅとするとき、
2017198774.tif 000053
2017198774.tif 000054
で表される液晶表示装置。
【請求項１１】
第１電極を備える第１基板と、
第２電極を備え、前記第１基板に略平行に対向配置される第２基板と、
前記第１、第２基板間に配置される垂直配向液晶層と、
前記第１基板の前記垂直配向液晶層とは反対側に配置される第１偏光板と、
前記第２基板の前記垂直配向液晶層とは反対側に、前記第１偏光板とクロスニコルに配置される第２偏光板と、
前記第１基板と前記第１偏光板との間に配置される、厚さ方向位相差が６５０ｎｍ〜６７０ｎｍの二軸フィルムと、
前記第２偏光板の、前記第２基板とは反対側に配置される白色光源と
を有し、
前記垂直配向液晶層の中央分子配向方位は、前記第１及び第２偏光板の吸収軸方位と４５°の角度をなし、かつ、第１方向から（９０＋θ）°だけ時計回り方向に回転した方向であり、
前記θは、θｌ以上、θｕ以下の角度であり、
前記θｌ、θｕは、θｌ＜θｕを満たす正の角度であって、前記垂直配向液晶層のリタデーションをΔｎｄ、前記二軸フィルムの面内位相差をＲｅとするとき、
2017198774.tif 000055
2017198774.tif 000056
で表される液晶表示装置。
【請求項１２】
第１電極を備える第１基板と、
第２電極を備え、前記第１基板に略平行に対向配置される第２基板と、
前記第１、第２基板間に配置される垂直配向液晶層と、
前記第１基板の前記垂直配向液晶層とは反対側に配置される第１偏光板と、
前記第２基板の前記垂直配向液晶層とは反対側に、前記第１偏光板とクロスニコルに配置される第２偏光板と、
前記第２基板と前記第２偏光板との間に配置される、厚さ方向位相差が４３０ｎｍ〜４５０ｎｍの二軸フィルムと、
前記第２偏光板の、前記第２基板とは反対側に配置される白色光源と
を有し、
前記垂直配向液晶層の中央分子配向方位は、前記第１及び第２偏光板の吸収軸方位と４５°の角度をなし、かつ、第１方向から（９０＋θ）°だけ時計回り方向に回転した方向であり、
前記θは、θｌ以上、θｕ以下の角度であり、
前記θｌ、θｕは、θｌ＜θｕを満たす正の角度であって、前記垂直配向液晶層のリタデーションをΔｎｄ、前記二軸フィルムの面内位相差をＲｅとするとき、
2017198774.tif 000057
2017198774.tif 000058
で表される液晶表示装置。
【請求項１３】
第１電極を備える第１基板と、
第２電極を備え、前記第１基板に略平行に対向配置される第２基板と、
前記第１、第２基板間に配置される垂直配向液晶層と、
前記第１基板の前記垂直配向液晶層とは反対側に配置される第１偏光板と、
前記第２基板の前記垂直配向液晶層とは反対側に、前記第１偏光板とクロスニコルに配置される第２偏光板と、
前記第１基板と前記第１偏光板との間に配置される、厚さ方向位相差が４３０ｎｍ〜４５０ｎｍの二軸フィルムと、
前記第２偏光板の、前記第２基板とは反対側に配置される白色光源と
を有し、
前記垂直配向液晶層の中央分子配向方位は、前記第１及び第２偏光板の吸収軸方位と４５°の角度をなし、かつ、第１方向から（９０＋θ）°だけ時計回り方向に回転した方向であり、
前記θは、θｌ以上、θｕ以下の角度であり、
前記θｌ、θｕは、θｌ＜θｕを満たす正の角度であって、前記垂直配向液晶層のリタデーションをΔｎｄ、前記二軸フィルムの面内位相差をＲｅとするとき、
2017198774.tif 000059
2017198774.tif 000060
で表される液晶表示装置。
【請求項１４】
前記第１方向が、表示領域の右方向である請求項１〜１３のいずれか１項に記載の液晶表示装置。
【請求項１５】
前記θは、２５°以下の角度である請求項１〜１４のいずれか１項に記載の液晶表示装置。
【発明の詳細な説明】
【技術分野】
【０００１】
本発明は、液晶表示装置に関する。
【背景技術】
【０００２】
垂直配向型の液晶表示装置は、基板法線方向から観察したとき（正面観察時）の背景表示部（電圧無印加部）の光透過率が極めて低く、略クロスニコル配置された２枚の偏光板と同等の暗状態を実現可能である。また、負の二軸光学異方性を有する視角補償板等を用いることで、暗状態の視角特性を理想的に実現できる。このように優れた表示性能を有している。
【０００３】
図２２は、垂直配向型液晶表示装置に搭載される垂直配向型液晶表示素子１０を示す概略的な断面図である。
【０００４】
垂直配向型液晶表示素子１０は、特定の間隔に離間して、略平行に対向配置された上側基板（コモン基板）１１、下側基板（セグメント基板）１２、及び両基板１１、１２間に配置された垂直配向液晶層１３を含んで構成される。
【０００５】
上側基板１１と下側基板１２は、平面視上（Ｚ軸正方向（基板１１、１２法線方向）から見たとき）、枠状に配置されるメインシール部１４により接着される。垂直配向液晶層１３は、メインシール部１４の内側に配置される。
【０００６】
上側基板１１は、（ｉ）上側透明基板１１ａ、（ｉｉ）上側透明基板１１ａ上に形成された上側透明電極（コモン電極）１１ｂ、（ｉｉｉ）上側透明基板１１ａ上及び上側透明電極１１ｂ上に形成された上側絶縁膜１１ｃ、（ｉｖ）上側絶縁膜１１ｃ上に形成された上側垂直配向膜１１ｄを含む。同様に、下側基板１２は、（ｉ）下側透明基板１２ａ、（ｉｉ）下側透明基板１２ａ上に形成された下側透明電極（セグメント電極）１２ｂ、（ｉｉｉ）下側透明基板１２ａ上及び下側透明電極１２ｂ上に形成された下側絶縁膜１２ｃ、（ｉｖ）下側絶縁膜１２ｃ上に形成された下側垂直配向膜１２ｄを含む。
【０００７】
上側透明基板１１ａ及び下側透明基板１２ａは、たとえばガラス基板である。上側透明電極１１ｂ及び下側透明電極１２ｂは、たとえばＩＴＯ(indium tin oxide)等の透明導電材料で形成される。
【０００８】
両電極１１ｂ、１２ｂは、垂直配向液晶層１３を挟んで、平面視上、互いに重なり合い、重なり合った領域に表示部（画素）を画定する。上側及び下側透明電極１１ｂ、１２ｂは、たとえば特定の図柄、数字などを表示するセグメント表示部（画素）、またはドットマトリクス状の複数の矩形表示部（画素）を実現するようにパターン形成されている。
【０００９】
垂直配向液晶層１３は、誘電率異方性が負の液晶材料を含んで構成される。垂直配向液晶層１３内にはスペーサ１３ｓが分散配置される。
【００１０】
下側基板１２の端部は、上側基板１１よりも外側に張り出しており、張り出した領域に外部取り出し端子部１５が画定される。外部取り出し端子部１５には、外部取り出し電極１５ｂが配置される。外部取り出し電極１５ｂは、下側透明電極１２ｂと電気的に接続されている。
【００１１】
上側基板１１の垂直配向液晶層１３と反対側の面には、上側偏光板１７が配置される。下側基板１２の垂直配向液晶層１３と反対側の面には、視角補償板１６及び下側偏光板１８がこの順に配置される。視角補償板１６及び偏光板１７、１８は、粘着剤により基板１１、１２に固着される。上側及び下側偏光板１７、１８は、たとえばクロスニコルに配置される。視角補償板１６は、たとえば斜め観察時における垂直配向液晶層１３の位相差のずれを光学的に補償することにより、視角特性を改善する機能を有する。
【００１２】
図２３は、垂直配向型液晶表示装置２０を示す概略的な断面図である。
【００１３】
垂直配向型液晶表示装置２０は、垂直配向型液晶表示素子１０、駆動回路２１、バックライトユニット２２、及び、筐体（ハウジング、カバー等）２３を含んで構成される。
【００１４】
駆動回路２１は、たとえば垂直配向型液晶表示素子１０の外部取り出し電極１５ｂに電気的に接続され、垂直配向型液晶表示素子１０の電極１１ｂ、１２ｂ間に電圧を印加して液晶表示素子１０を駆動する。
【００１５】
バックライトユニット２２は、たとえば白色光を出射するＬＥＤ光源（バックライト）、導光板、拡散板、輝度向上フィルム等を含み、垂直配向型液晶表示素子１０の下側偏光板１８の下側（Ｚ軸負方向側）に配置される。
【００１６】
垂直配向型液晶表示素子１０、駆動回路２１、及び、バックライトユニット２２は、筐体２３内の所定位置に固定され、一体化される。
【００１７】
なお、駆動回路２１は、筐体２３の外部に配置してもよい。
【００１８】
特に、駆動回路２１がマルチプレックス駆動波形を出力するマルチプレックス駆動垂直配向型液晶表示装置２０においては、走査線本数Ｎが多い場合、コントラスト及び明表示時の光透過率を高くするためには、電気光学特性における急峻性を高めなければならない。このため、垂直配向液晶層１３のリタデーションΔｎｄ（液晶材料の屈折率異方性（複屈折率）Δｎと液晶層１３の厚さｄの積）を大きくする必要がある。リタデーションΔｎｄを大きくするためには、液晶材料の屈折率異方性Δｎを大きくしなければならない。しかし、液晶材料の屈折率異方性Δｎが大きいと、液晶材料の屈折率の波長分散特性が、Δｎが小さい場合に比べ、変化する傾向が見られる。また、視角補償板１６には、負の一軸または二軸光学異方性を有する光学フィルム等を単数または複数用いることができるが、それらの配置態様や、用いる光学フィルムの種類により、視角特性そのもの、及び、斜め観察時の背景の色調が変化する。
【００１９】
たとえば液晶層のリタデーションΔｎｄ≧５５０ｎｍの範囲においては、正の一軸光学異方性を有するＡプレートと負の一軸光学異方性を有するＣプレートの組み合わせ、負の二軸光学異方性を有する二軸フィルムとＣプレートの組み合わせ、複数枚の二軸フィルムの組み合わせ等を用いる視角補償方法が提案されている（たとえば特許文献１〜３参照）。
【００２０】
これらの視角補償方法は、たとえば斜め観察時における垂直配向液晶層１３の位相差のずれを光学的に補償するが、補償は、全可視光波長域で理想的に行われるものではなく、特定の波長において実現される。
【００２１】
たとえば図２４Ａ及び図２４Ｂに示すように、液晶層中央分子配向方位（液晶層の厚さ方向の中央に位置する液晶分子の配向方位）と直交し、かつ、クロスニコルに配置された各偏光板の吸収軸方位と４５°をなす方位、たとえば３時方位（０°方位）の極角５０°方向（基板法線方向より５０°斜めに傾いた方向）から観察した場合に背景光透過率が最も低くなるよう設定した視角補償条件（以下、液晶層中央分子配向方位と直交し、かつ、クロスニコル偏光板の吸収軸方位と４５°をなす方位の斜め方向から観察したときに、背景光透過率が最も低くなるよう設定した視角補償条件を「従来の理想的条件」とも称する。）においては、波長５５０ｎｍ近辺の光は完全に遮光されるが、短波長側の光の光抜け度合いが大きいため、背景表示状態が青色っぽく、または紫色っぽく観察される。
【００２２】
これを抑制するために、視角補償板の厚さ方向の位相差Ｒｔｈに比し、液晶層のリタデーションΔｎｄを相対的に小さくする方法が知られている（たとえば特許文献４参照）。しかし、この方法では、視角補償板の厚さ方向の位相差Ｒｔｈを一定としたとき、液晶層のリタデーションΔｎｄを小さく設定する必要があるため、電気光学特性における急峻性が劣化し、明表示時の光透過率が低下する傾向がある。また、液晶層のリタデーションΔｎｄが小さい場合、Δｎｄのばらつきに対する視角特性の変化が大きい傾向がある。
【００２３】
たとえば液晶層のリタデーションΔｎｄの値を、従来の理想的条件におけるそれよりも小さくすることなく、少なくとも左右方位（３時−９時方位）において、短波長側の光の光抜けが抑制され、背景表示状態の青味が低減される液晶表示装置が求められる。
【先行技術文献】
【特許文献】
【００２４】
【特許文献１】特許第４８９４０３６号公報
【特許文献２】特許第４８７３５５３号公報
【特許文献３】特許第４９０１５４１号公報
【特許文献４】特開２００８−８３５４６号公報
【発明の概要】
【発明が解決しようとする課題】
【００２５】
本発明の目的は、表示品位の良好な液晶表示装置を提供することである。
【課題を解決するための手段】
【００２６】
本発明の一観点によれば、第１電極を備える第１基板と、第２電極を備え、前記第１基板に略平行に対向配置される第２基板と、前記第１、第２基板間に配置される垂直配向液晶層と、前記第１基板の前記垂直配向液晶層とは反対側に配置される第１偏光板と、前記第２基板の前記垂直配向液晶層とは反対側に、前記第１偏光板とクロスニコルに配置される第２偏光板と、前記第２基板と前記第２偏光板との間に配置される、厚さ方向位相差が２１０ｎｍ〜２３０ｎｍのＣプレート、及び、厚さ方向位相差が４３０ｎｍ〜４５０ｎｍの二軸フィルムと、前記第２偏光板の、前記第２基板とは反対側に配置される白色光源とを有し、前記垂直配向液晶層の中央分子配向方位は、前記第１及び第２偏光板の吸収軸方位と４５°の角度をなし、かつ、第１方向から（９０＋θ）°だけ時計回り方向に回転した方向であり、前記θは、θｌ以上、θｕ以下の角度であり、前記θｌ、θｕは、θｌ＜θｕを満たす正の角度であって、前記垂直配向液晶層のリタデーションをΔｎｄ、前記二軸フィルムの面内位相差をＲｅとするとき、
2017198774.tif 000003
2017198774.tif 000004
で表される液晶表示装置が提供される。
【発明の効果】
【００２７】
本発明によれば、表示品位の良好な液晶表示装置を提供することができる。
【図面の簡単な説明】
【００２８】
【図１】図１は、第１パネル構成を示す概略的な斜視図である。
【図２】図２は、第２パネル構成を示す概略的な斜視図である。
【図３】図３は、第３パネル構成を示す概略的な斜視図である。
【図４】図４Ａ、図４Ｂは、それぞれ色度（ｘ，ｙ）が、ｘ＞０．３１３７１、かつ、ｙ＞０．３１８４１１となる観察方位範囲の下限値、上限値を示すグラフである。
【図５】図５Ａは、計算された係数ａ、ｂの値を示す表であり、図５Ｂ及び図５Ｃは、計算結果を示すグラフである。
【図６】図６Ａは、計算された係数ａ、ｂの値を示す表であり、図６Ｂ及び図６Ｃは、計算結果を示すグラフである。
【図７】図７Ａは、各Ｒｅ及びΔｎｄ条件において、色度（ｘ，ｙ）が、ｘ＞０．３１３７１、かつ、ｙ＞０．３１８４１１となる観察方位範囲（極角６０°方向観察時）の下限値θｌ及び上限値θｕを示す表であり、図７Ｂは、図７Ａの表から、アステリスクまたは米印が付された範囲を除外した表であり、図７Ｃは、液晶表示装置において、液晶表示素子を、下限値θｌ以上、上限値θｕ以下の角度だけ時計回り方向に回転させる場合に、好ましい下限値θｌ〜上限値θｕの範囲を示す表である。
【図８】図８Ａは、実施例による液晶表示装置の表示領域を示す概略的な平面図であり、図８Ｂは、実施例による液晶表示装置の配置例を示す概略図であり、図８Ｃは、実施例による液晶表示装置における液晶層１３中央分子配向方位、及び、偏光板１７、１８吸収軸方位を示す概略図である。
【図９】図９Ａ、図９Ｂは、それぞれ色度が、従来の理想的条件における正面観察時色度よりも大きくなる観察方位範囲の下限値、上限値を示すグラフである。
【図１０】図１０Ａ〜図１０Ｄは、計算結果を示すグラフである。
【図１１】図１１Ａは、各Ｒｅ及びΔｎｄ条件において、色度が、従来の理想的条件における正面観察時色度よりも大きくなる観察方位範囲（極角６０°方向観察時）の下限値θｌ及び上限値θｕを示す表であり、図１１Ｂは、図１１Ａの表から、アステリスクまたは米印が付された範囲を除外した表であり、図１１Ｃは、液晶表示装置において、液晶表示素子を、下限値θｌ以上、上限値θｕ以下の角度だけ時計回り方向に回転させる場合に、好ましい下限値θｌ〜上限値θｕの範囲を示す表である。
【図１２】図１２Ａ、図１２Ｂは、それぞれ色度が、従来の理想的条件における正面観察時色度よりも大きくなる観察方位範囲の下限値、上限値を示すグラフである。
【図１３】図１３Ａ〜図１３Ｄは、計算結果を示すグラフである。
【図１４】図１４Ａは、各Ｒｅ及びΔｎｄ条件において、色度が、従来の理想的条件における正面観察時色度よりも大きくなる観察方位範囲（極角６０°方向観察時）の下限値θｌ及び上限値θｕを示す表であり、図１４Ｂは、図１４Ａの表から、アステリスクまたは米印が付された範囲を除外した表であり、図１４Ｃは、液晶表示装置において、液晶表示素子を、下限値θｌ以上、上限値θｕ以下の角度だけ時計回り方向に回転させる場合に、好ましい下限値θｌ〜上限値θｕの範囲を示す表である。
【図１５】図１５Ａ、図１５Ｂは、それぞれ色度が、従来の理想的条件における正面観察時色度よりも大きくなる観察方位範囲の下限値、上限値を示すグラフである。
【図１６】図１６Ａ〜図１６Ｄは、計算結果を示すグラフである。
【図１７】図１７Ａは、各Ｒｅ及びΔｎｄ条件において、色度が、従来の理想的条件における正面観察時色度よりも大きくなる観察方位範囲（極角６０°方向観察時）の下限値θｌ及び上限値θｕを示す表であり、図１７Ｂは、図１７Ａの表から、アステリスクまたは米印が付された範囲を除外した表である。
【図１８】図１８Ａ、図１８Ｂは、それぞれ色度が、従来の理想的条件における正面観察時色度よりも大きくなる観察方位範囲の下限値、上限値を示すグラフである。
【図１９】図１９Ａ〜図１９Ｄは、計算結果を示すグラフである。
【図２０】図２０Ａは、各Ｒｅ及びΔｎｄ条件において、色度が、従来の理想的条件における正面観察時色度よりも大きくなる観察方位範囲（極角６０°方向観察時）の下限値θｌ及び上限値θｕを示す表であり、図２０Ｂは、図２０Ａの表から、アステリスクまたは米印が付された範囲を除外した表であり、図２０Ｃは、液晶表示装置において、液晶表示素子を、下限値θｌ以上、上限値θｕ以下の角度だけ時計回り方向に回転させる場合に、好ましい下限値θｌ〜上限値θｕの範囲を示す表である。
【図２１】図２１は、各Ｒｅ及びΔｎｄ条件において、色度が、従来の理想的条件における正面観察時色度よりも大きくなる観察方位範囲（極角６０°方向観察時）の下限値θｌ及び上限値θｕを示す表である。
【図２２】図２２は、垂直配向型液晶表示装置に搭載される垂直配向型液晶表示素子１０を示す概略的な断面図である。
【図２３】図２３は、垂直配向型液晶表示装置２０を示す概略的な断面図である。
【図２４】図２４Ａ及び図２４Ｂは、観察方向を示す概略図である。
【発明を実施するための形態】
【００２９】
本願発明者らは、垂直配向型液晶表示素子の複数のパネル構成における背景（電圧無印加時）の視角特性に関し、鋭意研究を行った。
【００３０】
図１〜図３は、モノドメイン垂直配向型液晶表示素子のパネル構成を示す概略的な斜視図である。
【００３１】
図１に第１パネル構成を示す。第１パネル構成は、たとえば図２２に示す垂直配向型液晶表示素子１０の視角補償板１６を、下側基板１２側から順に、Ｃプレート１６ａ、二軸フィルム１６ｂで形成したパネル構成に対応する。なお、３時、６時、９時、及び、１２時方位は、図２２のＸＹ平面内に規定される。
【００３２】
第１パネル構成においては、上側偏光板１７は、偏光板偏光層１７ａ及びベースフィルム層１７ｂを含んで構成される。同様に、下側偏光板１８は、偏光板偏光層１８ａ及びベースフィルム層１８ｂを含んで構成される。
【００３３】
偏光板偏光層１７ａ、１８ａは、たとえば色素またはヨウ素が吸着され、延伸加工されたポリビニルアルコール(polyvinyl alcohol; PVA)で形成される。ベースフィルム層１７ｂ、１８ｂには、たとえばトリアセチルセルロース(triacetylcellulose; TAC)で形成されたフィルム（ＴＡＣフィルム）が用いられる。ＴＡＣフィルムの面内位相差は、たとえば約５ｎｍ、厚さ方向の位相差は、たとえば約５０ｎｍである。
【００３４】
ベースフィルム層１７ｂ、１８ｂの少なくとも一方が、シクロオレフィンポリマ(cyclo olefin polymer; COP)やアクリル樹脂で形成されていてもよい。ＣＯＰやアクリル樹脂で形成されたベースフィルム層には、面内位相差及び厚さ方向の位相差は存在しない。
【００３５】
なお、偏光板１７、１８は、たとえば偏光板偏光層１７ａ、１８ａと、それを挟む２枚のベースフィルム層により構成されるが、図１〜図３においては、基板１１、１２側のベースフィルム層１７ｂ、１８ｂのみを示してある。
【００３６】
第１パネル構成においては、液晶層１３中央分子配向方位は６時方位（２７０°方位）であり、たとえば電圧印加時、液晶層１３の中央分子は６時方位に傾斜する。クロスニコル偏光板１７、１８は、吸収軸方位が、電圧印加時の液晶層１３中央分子配向方位（６時方位）に対し、略４５°の角度をなすように配置される。たとえば上側偏光板１７（偏光板偏光層１７ａ）の吸収軸方位は１３５°−３１５°方位であり、下側偏光板１８（偏光板偏光層１８ａ）の吸収軸方位は４５°−２２５°方位である。また、ベースフィルム層１７ｂ、１８ｂ（ＴＡＣフィルム）は、その面内遅相軸方位が、近接する偏光層１７ａ、１８ａの吸収軸方位に平行となるように配置される。すなわち、たとえばベースフィルム層１７ｂの面内遅相軸方位は１３５°−３１５°方位であり、ベースフィルム層１８ｂの面内遅相軸方位は４５°−２２５°方位である。
【００３７】
Ｃプレート１６ａは、理想的には面内位相差が０で、厚さ方向に位相差を備える光学異方性を有しているが、市販品、たとえば材質がＣＯＰである二軸延伸フィルムの場合、７ｎｍ以下程度の面内位相差が存在することがある。その場合、Ｃプレート１６ａは、その面内遅相軸方位が、近接する偏光板１７、１８の吸収軸方位に対して平行となる、または直交するように配置される。第１パネル構成においては、Ｃプレート１６ａに面内位相差が存在する場合、その面内遅相軸方位を、近接する下側偏光板１８の吸収軸方位（４５°−２２５°方位）に直交させる。すなわち、Ｃプレート１６ａの面内遅相軸方位を１３５°−３１５°方位とする。なお、Ｃプレート１６ａは、面内遅相軸方位が４５°−２２５°方位（近接する下側偏光板１８の吸収軸方位と平行）となるように配置してもよい。
【００３８】
二軸フィルム１６ｂは、その面内遅相軸方位が、近接する偏光板１７、１８の吸収軸方位に略直交するように配置される。第１パネル構成においては、二軸フィルム１６ｂは、その面内遅相軸方位が、近接する下側偏光板１８の吸収軸方位（４５°−２２５°方位）と直交するように、すなわち、面内遅相軸方位が１３５°−３１５°方位となるように配置される。
【００３９】
第１パネル構成においては、二軸フィルム１６ｂとその近接偏光層（偏光層１８ａ）との間にベースフィルム層１８ｂが配置されるが、ベースフィルム層１８ｂを配置せず、二軸フィルム１６ｂと偏光層１８ａを直接接着する構成とすることもできる。
【００４０】
また、第１パネル構成では、視角補償板１６を、Ｃプレート１６ａと二軸フィルム１６ｂの積層構造で構成したが、視角補償板１６を二軸フィルム１６ｂのみで構成することも可能である。
【００４１】
なお、図１に示すように、視角補償板１６をＣプレート１６ａと二軸フィルム１６ｂの積層構造で構成する場合には、二軸フィルム１６ｂを、近接する偏光板１８に近い位置に配置することが好ましい。
【００４２】
図２は、第２パネル構成を示す概略的な斜視図である。第１パネル構成では、下側基板１２と下側偏光板１８の間に、Ｃプレート１６ａ及び二軸フィルム１６ｂを配置したが、第２パネル構成においては、上側基板１１と上側偏光板１７の間にＣプレート１６ａを配置し、下側基板１２と下側偏光板１８の間に二軸フィルム１６ｂを配置する。その他の点は、第１パネル構成と等しい。なお、Ｃプレート１６ａの面内遅相軸方位、及び、二軸フィルム１６ｂの面内遅相軸方位は、第２パネル構成においても、ともに１３５°−３１５°方位である。
【００４３】
図３は、第３パネル構成を示す概略的な斜視図である。第３パネル構成においては、上側基板１１と上側偏光板１７の間に二軸フィルム１６ｂを配置し、下側基板１２と下側偏光板１８の間にＣプレート１６ａを配置する。なお、第３パネル構成においては、Ｃプレート１６ａの面内遅相軸方位、及び、二軸フィルム１６ｂの面内遅相軸方位は、ともに４５°−２２５°方位である。その他の点は、第１パネル構成と等しい。
【００４４】
第１〜第３パネル構成に共通して、Ｃプレート１６ａの厚さ方向位相差と二軸フィルム１６ｂの厚さ方向位相差は、一致している必要はなく、むしろ異なる値を示している方が、液晶層中央分子配向方位と直交し、かつ、クロスニコル偏光板の吸収軸方位と４５°をなす方位から観察したときの明表示時表示状態が良好となる。たとえば第１パネル構成においては、観察傾斜角度（極角）が大きいと、光透過率が著しく高くなる傾向があるため、特に左右方位（３時−９時方位）斜め観察時の表示品位が重要視される場合は、両者を異なる値とすることが好ましい。
【００４５】
また、たとえば、第２、第３パネル構成においては、両者が一致している場合、液晶層中央分子配向方位と直交し、かつ、クロスニコル偏光板の吸収軸方位と４５°をなす方位から観察したときの明表示時表示状態に着色が観察され、かつ、光透過率が低下する傾向がある。
【００４６】
このため、たとえば第１〜第３パネル構成においては、Ｃプレート１６ａの厚さ方向位相差と二軸フィルム１６ｂの厚さ方向位相差は、相互に異なる値とすることが好ましく、２：１以上の比率とすること（一方を他方の２倍以上とすること）が一層好ましい。たとえば、第２、第３パネル構成において、二軸フィルム１６ｂの厚さ方向位相差が４４０ｎｍのとき、Ｃプレート１６ａの厚さ方向位相差を２２０ｎｍ以下、または、８８０ｎｍ以上とすることが好ましい。
【００４７】
本願発明者らは、第１〜第３パネル構成等における背景（電圧無印加時）の視角特性に関し、シンテック株式会社製のシミュレータ ＬＣＤ ＭＡＳＴＥＲ ８．７ １次元解析を用いて、シミュレーションを行った。シミュレーションにおいては、クロスニコル偏光板１７、１８として株式会社ポラテクノ製の偏光板ＳＨＣ１３Ｕを使用すること、及び、Ｃプレート１６ａと二軸フィルム１６ｂの材質がＣＯＰであることを想定した。更に、液晶層１３のプレティルト角を８９．８５°とし、屈折率異方性Δｎが０．１５の液晶材料を用いる設定とした。更に、下側偏光板１８の下側に、Ｄ６５標準光源を配置する想定を行った。上側及び下側偏光板１７、１８の吸収軸方位、液晶層１３中央分子配向方位、Ｃプレート１６ａの面内遅相軸方位、二軸フィルム１６ｂの面内遅相軸方位等は、図１〜図３を参照して説明した通りである。
【００４８】
［第１シミュレーション及び第１実施例］
まず、第１パネル構成において、二軸フィルム１６ｂの厚さ方向位相差を４４０ｎｍ、Ｃプレート１６ａの厚さ方向位相差を２２０ｎｍとした第１シミュレーションについて説明する。
【００４９】
最初に、本願発明者らは、液晶層１３中央分子配向方位（６時方位）と直交し、かつ、クロスニコル偏光板１７、１８の吸収軸方位と４５°をなす方位、たとえば３時方位の極角６０°方向から観察した場合に、背景光透過率が最も低くなる視角補償条件（従来の理想的条件）をシミュレーション解析した。その結果、二軸フィルム１６ｂの面内位相差Ｒｅ＝４５ｎｍ、液晶層１３の厚さｄ＝５．８μｍ、液晶層１３のリタデーションΔｎｄ＝８７０ｎｍという値が得られた。また、正面観察時の色度は、（ｘ，ｙ）＝（０．３１３７１，０．３１８４１１）であった。
【００５０】
次に、本願発明者らは、二軸フィルム１６ｂの面内位相差Ｒｅ、及び、液晶層１３のリタデーションΔｎｄを様々に変化させ、正面から極角６０°に傾けた際の背景光透過率（極角６０°方向から観察される背景光透過率）の観察方位依存性を計算した。観察方位は、３時（０°）方位を基準とし、これとなす角度で表す。上側偏光板１７側（Ｚ軸正方向）から見て、観察方位が、３時方位から反時計回り方向であるとき正の角度、３時方位から時計回り方向であるとき負の角度とした。
【００５１】
更に、背景光透過率の観察方位依存性の計算結果から、従来の理想的条件における正面観察時色度（ｘ，ｙ）＝（０．３１３７１，０．３１８４１１）よりも色度が大きくなる範囲、すなわち、色度（ｘ，ｙ）が、ｘ＞０．３１３７１、かつ、ｙ＞０．３１８４１１となる観察方位範囲を算出した。なお、色度が大きくなることは、黄味を帯びることに対応する。
【００５２】
図４Ａ、図４Ｂは、それぞれ色度（ｘ，ｙ）が、ｘ＞０．３１３７１、かつ、ｙ＞０．３１８４１１となる観察方位範囲の下限値、上限値を示すグラフである。両グラフの横軸は、二軸フィルム１６ｂの面内位相差Ｒｅを、単位「ｎｍ」で表す。図４Ａに示すグラフの縦軸は、色度（ｘ，ｙ）が、ｘ＞０．３１３７１、かつ、ｙ＞０．３１８４１１となる観察方位範囲の下限値を、単位「°」で表し、図４Ｂに示すグラフの縦軸は、当該観察方位範囲の上限値を、単位「°」で表す。両グラフとも、液晶層１３のリタデーションΔｎｄをパラメータとして示してある。たとえば三角形のプロットで、Δｎｄ＝８４０ｎｍのときの二軸フィルム１６ｂの面内位相差Ｒｅと観察方位範囲の下限値、上限値の関係を示す。
【００５３】
図４Ａに示す下限値以上、図４Ｂに示す上限値以下の観察方位範囲における極角６０°方向からの観察で、従来の理想的条件における正面観察時色度よりも背景の色度が大きくなる。たとえば、液晶層１３のリタデーションΔｎｄ＝９００ｎｍ、二軸フィルム１６ｂの面内位相差Ｒｅ＝４０ｎｍのとき、３時方位から反時計回り方向に３°から１８°の範囲の極角６０°方向から液晶表示素子の表示面を見ると、従来の理想的条件における正面観察時色度よりも色度の大きい背景色調が観察される。
【００５４】
図４Ａ及び図４Ｂから、観察方位範囲の下限値、上限値と面内位相差Ｒｅの間には、各Δｎｄ条件において、線形関係があると考えられる。そこで、まず、観察方位範囲の下限値（図４Ａ）につき、各Δｎｄ条件において、プロットされた下限値θｌを、線形モデルθｌ＝ａ×Ｒｅ＋ｂの最小二乗法でフィッティングし、各Δｎｄ条件における係数ａ、ｂの値を計算した。
【００５５】
図５Ａは、計算された係数ａ、ｂの値を示す表である。この表に基づき、図５Ｂには、横軸をΔｎｄ（単位「ｎｍ」）、縦軸を係数ａとして、計算結果（Δｎｄ＝８４０ｎｍ、８５５ｎｍ、８７０ｎｍ、８８５ｎｍ、９００ｎｍ、９１５ｎｍ、９３０ｎｍ、９４５ｎｍのときの係数ａの値）をプロットした。また、図５Ｃには、横軸をΔｎｄ（単位「ｎｍ」）、縦軸を係数ｂとして、計算結果（Δｎｄ＝８４０ｎｍ、８５５ｎｍ、８７０ｎｍ、８８５ｎｍ、９００ｎｍ、９１５ｎｍ、９３０ｎｍ、９４５ｎｍのときの係数ｂの値）をプロットした。
【００５６】
本願発明者は、更に、図５Ｂ、図５Ｃの各々において、プロットは、２次関数モデル（図５Ｂの場合は、ａ＝α×（Δｎｄ）２＋β×（Δｎｄ）＋γ、図５Ｃの場合は、ｂ＝α×（Δｎｄ）２＋β×（Δｎｄ）＋γ）によりカーブフィッティング可能であることを見出した。最小二乗法を用いて計算した結果、図５Ｂにおいては、α＝４×１０−５、β＝−０．０７１８、γ＝３５．３４９、図５Ｃにおいては、α＝−０．００２７、β＝５．２３８４、γ＝−２５７４という結果が得られた。すなわち、色度（ｘ，ｙ）が、ｘ＞０．３１３７１、かつ、ｙ＞０．３１８４１１となる観察方位範囲（極角６０°方向観察時）の下限値θｌは、二軸フィルム１６ｂの面内位相差Ｒｅ、及び、液晶層１３のリタデーションΔｎｄを用いて、次式（１）
2017198774.tif 000005
で表されることがわかった。
【００５７】
観察方位範囲の上限値θｕ（図４Ｂ）についても、同様の計算を行った。
【００５８】
図４Ｂにおいて、各Δｎｄ条件につき、プロットされた上限値θｕを、線形モデルθｕ＝ａ×Ｒｅ＋ｂの最小二乗法でフィッティングし、各Δｎｄ条件における係数ａ、ｂの値を計算した。
【００５９】
図６Ａは、計算された係数ａ、ｂの値を示す表である。この表に基づき、図６Ｂには、横軸をΔｎｄ（単位「ｎｍ」）、縦軸を係数ａとして、計算結果（Δｎｄ＝８４０ｎｍ、８５５ｎｍ、８７０ｎｍ、８８５ｎｍ、９００ｎｍ、９３０ｎｍのときの係数ａの値）をプロットした。また、図６Ｃには、横軸をΔｎｄ（単位「ｎｍ」）、縦軸を係数ｂとして、計算結果（Δｎｄ＝８４０ｎｍ、８５５ｎｍ、８７０ｎｍ、８８５ｎｍ、９００ｎｍ、９３０ｎｍのときの係数ｂの値）をプロットした。
【００６０】
本願発明者は、更に、図６Ｂ、図６Ｃの各々において、プロットは、２次関数モデル（図６Ｂの場合は、ａ＝α×（Δｎｄ）２＋β×（Δｎｄ）＋γ、図６Ｃの場合は、ｂ＝α×（Δｎｄ）２＋β×（Δｎｄ）＋γ）によりカーブフィッティング可能であることを見出した。最小二乗法を用いて計算した結果、図６Ｂにおいては、α＝−３×１０−５、β＝０．０４２９、γ＝−１６．７９７、図６Ｃにおいては、α＝０．００１６、β＝−２．４１０３、γ＝９２３．８５という結果が得られた。すなわち、色度（ｘ，ｙ）が、ｘ＞０．３１３７１、かつ、ｙ＞０．３１８４１１となる観察方位範囲（極角６０°方向観察時）の上限値θｕは、二軸フィルム１６ｂの面内位相差Ｒｅ、及び、液晶層１３のリタデーションΔｎｄを用いて、次式（２） 
2017198774.tif 000006
で表されることがわかった。
【００６１】
下限値をθｌとし上限値をθｕとする観察方位範囲、及び、Ｒｅ、Δｎｄ条件においては、極角６０°観察時、短波長成分を多くは含まないニュートラル〜ブラウン系の背景色調が観察される。
【００６２】
本願発明者らは、更に検討を続けた。
【００６３】
図７Ａは、各Ｒｅ及びΔｎｄ条件において、色度（ｘ，ｙ）が、ｘ＞０．３１３７１、かつ、ｙ＞０．３１８４１１となる観察方位範囲（極角６０°方向観察時）の下限値θｌ及び上限値θｕをあらためて示す表である。
【００６４】
上述したように、第１シミュレーションのパネル構成における従来の理想的条件は、二軸フィルム１６ｂの面内位相差Ｒｅ＝４５ｎｍ、液晶層１３のリタデーションΔｎｄ＝８７０ｎｍである。また、「背景技術」で説明したように、液晶層１３のリタデーションΔｎｄを小さくすると、たとえば電気光学特性における急峻性が劣化し、明表示時の光透過率が低下したり、Δｎｄのばらつきに対する視角特性の変化が大きくなったりする傾向があるため、液晶層１３のリタデーションΔｎｄを従来の理想的条件よりも小さくしないという要求がある。
【００６５】
図７Ａの表には、液晶層１３のリタデーションΔｎｄが従来の理想的条件よりも小さくなる下限値θｌ〜上限値θｕの範囲にアステリスク（＊）を付した。
【００６６】
更に、下限値θｌ〜上限値θｕの間に０°を含む範囲のＲｅ及びΔｎｄ条件をもつ従来の液晶表示装置は、３時方位の極角６０°方向から観察したときの色度が、正面観察時の色度よりも大きく、「背景技術」で述べた「少なくとも左右方位（３時−９時方位）において、・・背景表示状態の青味が低減される液晶表示装置」であるといえる。すなわち、下限値θｌ〜上限値θｕの間に０°を含む範囲は、従来の液晶表示装置の構成を含む範囲であるとも考えられる。
【００６７】
図７Ａの表には、下限値θｌ〜上限値θｕの間に０°を含む観察方位範囲（＊が付された範囲を除く。）に米印（※）を付した。
【００６８】
図７Ｂは、図７Ａの表から、アステリスク（＊）または米印（※）が付された範囲を除外した表である。
【００６９】
下限値θｌ及び上限値θｕがともに正の値となることがわかる。
【００７０】
たとえば第１シミュレーションのパネル構成において、本表に示される各Ｒｅ、Δｎｄ条件を適用し、対応する観察方位（下限値θｌ以上、上限値θｕ以下の観察方位）の極角６０°方向から液晶表示素子の表示面を観察すると、従来の理想的条件における正面観察時色度よりも色度が大きい背景色調が観察される。また、適用されるΔｎｄは、従来の理想的条件における液晶層のリタデーション以上の値をもつ。
【００７１】
このため、液晶表示装置において、液晶表示素子を、たとえば下限値θｌ以上、上限値θｕ以下の角度だけ逆方向（時計回り方向）に回転させることにより、従来の理想的条件における液晶層のリタデーション以上のΔｎｄをもち、かつ、「少なくとも左右方位（３時−９時方位）において、短波長側の光の光抜けが抑制され、背景表示状態の青味が低減される液晶表示装置」を実現可能である。
【００７２】
ここで、下限値θｌは、正の値であり、以下の式（１）で表される。
2017198774.tif 000007
【００７３】
また、上限値θｕは、θｌ＜θｕを満たす正の値であり、以下の式（２）で表される。 
2017198774.tif 000008
【００７４】
図７Ｃは、液晶表示装置において、液晶表示素子を、たとえば下限値θｌ以上、上限値θｕ以下の角度だけ逆方向（時計回り方向）に回転させる場合に、好ましい下限値θｌ〜上限値θｕの範囲を示す表である。本表は、図７Ｂの表に示される上限値θｕの値が２５°を超える場合に、上限値θｕを２５°に変更することで作成し、上限値θｕを２５°とした欄にシャープ（＃）を付した。
【００７５】
たとえばモノドメイン配向の垂直配向型液晶表示素子を２５°を超える範囲で回転させた場合、明表示の左右観察時に光透過率の非対称性が著しく現れることが想定される。このため、上限値θｕの値が２５°を超える場合には、上限値θｕを２５°とする（回転角度を２５°以下とする）ことで、表示品位を向上させることができる。
【００７６】
第１シミュレーションでは、第１パネル構成において、二軸フィルム１６ｂの厚さ方向位相差を４４０ｎｍ、Ｃプレート１６ａの厚さ方向位相差を２２０ｎｍとしたが、第２パネル構成、第３パネル構成において、それぞれ二軸フィルム１６ｂの厚さ方向位相差を４４０ｎｍ、Ｃプレート１６ａの厚さ方向位相差を２２０ｎｍとした場合も、ほぼ同等の結果が得られることがわかった。
【００７７】
第１シミュレーション等で得られた知見に基づき、たとえば次のような液晶表示装置を第１実施例による液晶表示装置とすることができる。
【００７８】
第１実施例による液晶表示装置は、たとえば図２３に示す構成を備える。たとえば、垂直配向型液晶表示素子１０、液晶表示素子１０の電極１１ｂ、１２ｂ間に電圧を印加し、一例として液晶表示素子１０をマルチプレックス駆動する駆動回路２１、及び、液晶表示素子１０の下側偏光板１８の下側に配置される白色光源（バックライトユニット２２）を含む。
【００７９】
垂直配向型液晶表示素子１０は、たとえばモノドメイン配向の液晶表示素子であり、図２２に示す構成を有する。たとえば、上側透明電極１１ｂを備える上側基板１１と、下側透明電極１２ｂを備え、上側基板１１に略平行に対向配置される下側基板１２と、両基板１１、１２間に配置される垂直配向液晶層１３とを含んで構成される。
【００８０】
上側基板１１の垂直配向液晶層１３と反対側の面には、上側偏光板１７が配置される。下側基板１２の垂直配向液晶層１３と反対側の面には、視角補償板１６及び下側偏光板１８がこの順に配置される。上側及び下側偏光板１７、１８は、クロスニコルに配置される。視角補償板１６は、たとえば下側基板１２側から順に、Ｃプレート１６ａ、二軸フィルム１６ｂの積層構造で構成される。Ｃプレート１６ａの厚さ方向位相差は２２０ｎｍであり、二軸フィルム１６ｂの厚さ方向位相差は４４０ｎｍである。
【００８１】
両電極１１ｂ、１２ｂは、平面視上、互いに重なり合った領域に表示部（画素）を画定する。画素を用いて、表示を行う領域が表示領域である。液晶表示素子１０の表示領域（表示面）は、上側基板１１側に規定される。
【００８２】
第１実施例による液晶表示装置は、第１パネル構成（図１参照）の液晶表示素子を、たとえば下限値θｌ以上、上限値θｕ以下の角度θだけ時計回り方向に回転させた液晶表示装置である。下限値θｌ、上限値θｕは、ともに正の角度であり、θｌ＜θｕを満たす。また、下限値θｌ、上限値θｕは、以下の式（１）、（２）で表される。なお、θ、θｌ、及び、θｕの単位は、すべて「°」である。
2017198774.tif 000009
2017198774.tif 000010
【００８３】
図８Ａに、第１実施例による液晶表示装置の表示領域（表示面）を示す。表示領域の縦方向は１２時−６時方位（上方向が１２時方位、下方向が６時方位）であり、横方向は３時−９時方位（右方向が３時方位、左方向が９時方位）である。
【００８４】
図８Ｂに示すように、第１実施例による液晶表示装置は、たとえば自動車内の運転席３１と助手席３２の間のコンソール（ＨＶＡＣの表示部）に配置される。
【００８５】
図８Ｃに、第１実施例による液晶表示装置における液晶層１３中央分子配向方位、及び、偏光板１７、１８吸収軸方位を示す。
【００８６】
第１実施例による液晶表示装置においては、液晶層１３中央分子配向方位は（２７０−θ）°方位であり、表示領域の右方向（３時方位）から（９０＋θ）°だけ時計回り方向に回転した方向である。クロスニコル偏光板１７、１８の吸収軸方位は、液晶層１３中央分子配向方位と４５°の角度をなす方位であり、たとえば上側偏光板１７吸収軸方位は、（１３５−θ）°−（３１５−θ）°方位、下側偏光板１８吸収軸方位は、（４５−θ）°−（２２５−θ）°方位である。
【００８７】
第１実施例による液晶表示装置は、良好な表示品位を有する液晶表示装置である。たとえば従来の理想的条件における液晶層のリタデーション以上のΔｎｄをもち、かつ、少なくとも左右方位（３時−９時方位）の６０°斜め観察において、短波長側の光の光抜けが抑制され、背景表示状態の青味が低減される液晶表示装置である。たとえば左右方位において、ブラウン系の背景色調を実現することができる。
【００８８】
なお、角度θは、２５°以下であることが好ましい。θを２５°以下とすることで、明表示時の左右方位における光透過率の非対称性の現出を抑止することができる。
【００８９】
第１実施例による液晶表示装置においては、液晶層１３中央分子配向方位を、表示領域の右方向から（９０＋θ）°だけ時計回り方向に回転した方向としたが、表示領域の右方向に限らず、背景色調の青味を低減したい第１方向から（９０＋θ）°だけ時計回り方向に回転した方向としてもよい。
【００９０】
また、第１パネル構成（図１参照）の液晶表示素子（下側基板１２と下側偏光板１８の間にＣプレート１６ａ及び二軸フィルム１６ｂを配置する液晶表示素子）を、下限値θｌ以上、上限値θｕ以下の角度θだけ時計回り方向に回転させた液晶表示装置だけでなく、第２パネル構成（図２参照）の液晶表示素子（上側基板１１と上側偏光板１７の間にＣプレート１６ａを配置し、下側基板１２と下側偏光板１８の間に二軸フィルム１６ｂを配置する液晶表示素子）、第３パネル構成（図３参照）の液晶表示素子（上側基板１１と上側偏光板１７の間に二軸フィルム１６ｂを配置し、下側基板１２と下側偏光板１８の間にＣプレート１６ａを配置する液晶表示素子）を、たとえば下限値θｌ以上、上限値θｕ以下の角度θだけ時計回り方向に回転させた液晶表示装置とすることもできる。
【００９１】
更に、二軸フィルム１６ｂの厚さ方向位相差は、４４０ｎｍ±１０ｎｍの範囲（４３０ｎｍ〜４５０ｎｍ）、Ｃプレート１６ａの厚さ方向位相差は、２２０ｎｍ±１０ｎｍの範囲（２１０ｎｍ〜２３０ｎｍ）でもよい。二軸フィルム１６ｂの厚さ方向位相差が４４０ｎｍ、Ｃプレート１６ａの厚さ方向位相差が２２０ｎｍの場合と同様の効果が奏されるであろう。
【００９２】
本願発明者らは、第１シミュレーションと同様に、第２〜第６シミュレーションを行った。
【００９３】
［第２シミュレーション及び第２実施例］
第１パネル構成において、二軸フィルム１６ｂの厚さ方向位相差を２２０ｎｍ、Ｃプレート１６ａの厚さ方向位相差を４４０ｎｍとした第２シミュレーションについて説明する。
【００９４】
最初に、液晶層１３中央分子配向方位（６時方位）と直交し、かつ、クロスニコル偏光板１７、１８の吸収軸方位と４５°をなす方位、たとえば３時方位の極角６０°方向から観察した場合に、背景光透過率が最も低くなる視角補償条件（従来の理想的条件）をシミュレーション解析した。その結果、二軸フィルム１６ｂの面内位相差Ｒｅ＝５０ｎｍ、液晶層１３のリタデーションΔｎｄ＝８７０ｎｍという値が得られた。
【００９５】
次に、二軸フィルム１６ｂの面内位相差Ｒｅ、及び、液晶層１３のリタデーションΔｎｄを様々に変化させ、正面から極角６０°に傾けた際の背景光透過率（極角６０°方向から観察される背景光透過率）の観察方位依存性を計算した。観察方位は、３時（０°）方位を基準とし、これとなす角度で表す。上側偏光板１７側（Ｚ軸正方向）から見て、観察方位が、３時方位から反時計回り方向であるとき正の角度、３時方位から時計回り方向であるとき負の角度とした。
【００９６】
更に、背景光透過率の観察方位依存性の計算結果から、従来の理想的条件における正面観察時色度よりも色度が大きくなる観察方位範囲を算出した。
【００９７】
図９Ａ、図９Ｂは、それぞれ色度が、従来の理想的条件における正面観察時色度よりも大きくなる観察方位範囲の下限値、上限値を示すグラフである。両グラフの横軸は、二軸フィルム１６ｂの面内位相差Ｒｅを、単位「ｎｍ」で表す。図９Ａに示すグラフの縦軸は、色度が、従来の理想的条件における正面観察時色度よりも大きくなる観察方位範囲の下限値を、単位「°」で表し、図９Ｂに示すグラフの縦軸は、当該観察方位範囲の上限値を、単位「°」で表す。両グラフとも、液晶層１３のリタデーションΔｎｄをパラメータとして示してある。たとえば三角形のプロットで、Δｎｄ＝９１５ｎｍのときの二軸フィルム１６ｂの面内位相差Ｒｅと観察方位範囲の下限値、上限値の関係を示す。
【００９８】
図９Ａに示す下限値以上、図９Ｂに示す上限値以下の観察方位範囲における極角６０°方向からの観察で、従来の理想的条件における正面観察時色度よりも背景の色度が大きくなる。たとえば、液晶層１３のリタデーションΔｎｄ＝９１５ｎｍ、二軸フィルム１６ｂの面内位相差Ｒｅ＝４０ｎｍのとき、３時方位から反時計回り方向に４°から８３°の範囲の極角６０°方向から液晶表示素子の表示面を見ると、従来の理想的条件における正面観察時色度よりも色度の大きい背景色調が観察される。
【００９９】
図９Ａ及び図９Ｂから、観察方位範囲の下限値、上限値と面内位相差Ｒｅの間には、各Δｎｄ条件において、線形関係があると考えられる。そこで、まず、観察方位範囲の下限値（図９Ａ）につき、各Δｎｄ条件において、プロットされた下限値θｌを、線形モデルθｌ＝ａ×Ｒｅ＋ｂの最小二乗法でフィッティングし、各Δｎｄ条件における係数ａ、ｂの値を計算した。
【０１００】
図１０Ａ及び図１０Ｂに計算結果を示す。図１０Ａには、横軸をΔｎｄ（単位「ｎｍ」）、縦軸を係数ａとして、計算結果（Δｎｄ＝８８５ｎｍ、９００ｎｍ、９１５ｎｍ、９３０ｎｍ、９４５ｎｍ、９６０ｎｍのときの係数ａの値）をプロットした。また、図１０Ｂには、横軸をΔｎｄ（単位「ｎｍ」）、縦軸を係数ｂとして、計算結果（Δｎｄ＝８８５ｎｍ、９００ｎｍ、９１５ｎｍ、９３０ｎｍ、９４５ｎｍ、９６０ｎｍのときの係数ｂの値）をプロットした。
【０１０１】
本願発明者は、更に、図１０Ａ、図１０Ｂの各々において、プロットは、線形モデル（図１０Ａの場合は、ａ＝α×（Δｎｄ）＋β、図１０Ｂの場合は、ｂ＝α×（Δｎｄ）＋β）によりフィッティング可能であることを見出した。最小二乗法を用いて計算した結果、図１０Ａにおいては、α＝−０．０１３１、β＝１３．２０８、図１０Ｂにおいては、α＝０．８３７５、β＝−８１１．１７という結果が得られた。すなわち、色度が、従来の理想的条件における正面観察時色度よりも大きくなる観察方位範囲（極角６０°方向観察時）の下限値θｌは、二軸フィルム１６ｂの面内位相差Ｒｅ、及び、液晶層１３のリタデーションΔｎｄを用いて、次式（３）
2017198774.tif 000011
で表されることがわかった。
【０１０２】
観察方位範囲の上限値θｕ（図９Ｂ）についても、同様の計算を行った。
【０１０３】
図９Ｂにおいて、各Δｎｄ条件につき、プロットされた上限値θｕを、線形モデルθｕ＝ａ×Ｒｅ＋ｂの最小二乗法でフィッティングし、各Δｎｄ条件における係数ａ、ｂの値を計算した。
【０１０４】
図１０Ｃ及び図１０Ｄに計算結果を示す。図１０Ｃには、横軸をΔｎｄ（単位「ｎｍ」）、縦軸を係数ａとして、計算結果（Δｎｄ＝９００ｎｍ、９１５ｎｍ、９３０ｎｍ、９４５ｎｍ、９６０ｎｍのときの係数ａの値）をプロットした。また、図１０Ｄには、横軸をΔｎｄ（単位「ｎｍ」）、縦軸を係数ｂとして、計算結果（Δｎｄ＝９００ｎｍ、９１５ｎｍ、９３０ｎｍ、９４５ｎｍ、９６０ｎｍのときの係数ｂの値）をプロットした。
【０１０５】
本願発明者は、更に、図１０Ｃ、図１０Ｄの各々において、プロットは、線形モデル（図１０Ｃの場合は、ａ＝α×（Δｎｄ）＋β、図１０Ｄの場合は、ｂ＝α×（Δｎｄ）＋β）によりフィッティング可能であることを見出した。最小二乗法を用いて計算した結果、図１０Ｃにおいては、α＝０．０１０７、β＝−１０．９４、図１０Ｄにおいては、α＝−０．６６２２、β＝７３６．５１という結果が得られた。すなわち、色度が、従来の理想的条件における正面観察時色度よりも大きくなる観察方位範囲（極角６０°方向観察時）の上限値θｕは、二軸フィルム１６ｂの面内位相差Ｒｅ、及び、液晶層１３のリタデーションΔｎｄを用いて、次式（４）
2017198774.tif 000012
で表されることがわかった。
【０１０６】
下限値をθｌとし上限値をθｕとする観察方位範囲、及び、Ｒｅ、Δｎｄ条件においては、極角６０°観察時、短波長成分を多くは含まないニュートラル〜ブラウン系の背景色調が観察される。
【０１０７】
本願発明者らは、更に検討を続けた。
【０１０８】
図１１Ａは、各Ｒｅ及びΔｎｄ条件において、色度が、従来の理想的条件における正面観察時色度よりも大きくなる観察方位範囲（極角６０°方向観察時）の下限値θｌ及び上限値θｕをあらためて示す表である。
【０１０９】
上述したように、第２シミュレーションのパネル構成における従来の理想的条件は、二軸フィルム１６ｂの面内位相差Ｒｅ＝５０ｎｍ、液晶層１３のリタデーションΔｎｄ＝８７０ｎｍである。また、「背景技術」で説明したように、液晶層１３のリタデーションΔｎｄを従来の理想的条件よりも小さくしないという要求がある。
【０１１０】
図１１Ａの表には、液晶層１３のリタデーションΔｎｄが従来の理想的条件よりも小さくなる下限値θｌ〜上限値θｕの範囲にアステリスク（＊）を付した。
【０１１１】
更に、下限値θｌ〜上限値θｕの間に０°を含む範囲は、従来の液晶表示装置の構成を含む範囲であるとも考えられる。
【０１１２】
図１１Ａの表には、下限値θｌ〜上限値θｕの間に０°を含む観察方位範囲（＊が付された範囲を除く。）に米印（※）を付した。
【０１１３】
図１１Ｂは、図１１Ａの表から、アステリスク（＊）または米印（※）が付された範囲を除外した表である。
【０１１４】
下限値θｌ及び上限値θｕがともに正の値となることがわかる。
【０１１５】
たとえば第２シミュレーションのパネル構成において、本表に示される各Ｒｅ、Δｎｄ条件を適用し、対応する観察方位（下限値θｌ以上、上限値θｕ以下の観察方位）の極角６０°方向から液晶表示素子の表示面を観察すると、従来の理想的条件における正面観察時色度よりも色度が大きい背景色調が観察される。また、適用されるΔｎｄは、従来の理想的条件における液晶層のリタデーション以上の値をもつ。
【０１１６】
このため、液晶表示装置において、液晶表示素子を、たとえば下限値θｌ以上、上限値θｕ以下の角度だけ逆方向（時計回り方向）に回転させることにより、従来の理想的条件における液晶層のリタデーション以上のΔｎｄをもち、かつ、「少なくとも左右方位（３時−９時方位）において、短波長側の光の光抜けが抑制され、背景表示状態の青味が低減される液晶表示装置」を実現可能である。
【０１１７】
ここで、下限値θｌは、正の値であり、以下の式（３）で表される。
2017198774.tif 000013
【０１１８】
また、上限値θｕは、θｌ＜θｕを満たす正の値であり、以下の式（４）で表される。
2017198774.tif 000014
【０１１９】
なお、図７Ｂと図１１Ｂを比較参照すると、第２シミュレーションの条件（二軸フィルム１６ｂの厚さ方向位相差は２２０ｎｍ、Ｃプレート１６ａの厚さ方向位相差は４４０ｎｍ、従来の理想的条件におけるＲｅは５０ｎｍ）では、第１シミュレーションの条件（二軸フィルム１６ｂの厚さ方向位相差は４４０ｎｍ、Ｃプレート１６ａの厚さ方向位相差は２２０ｎｍ、従来の理想的条件におけるＲｅは４５ｎｍ）に比べ、左右方位において背景表示状態の青味が低減される条件が、従来の理想的条件におけるＲｅを基準に、低い領域にシフトしていることがわかる。
【０１２０】
図１１Ｃは、液晶表示装置において、液晶表示素子を、たとえば下限値θｌ以上、上限値θｕ以下の角度だけ逆方向（時計回り方向）に回転させる場合に、好ましい下限値θｌ〜上限値θｕの範囲を示す表である。本表は、図１１Ｂの表に示される上限値θｕの値が２５°を超える場合に、上限値θｕを２５°に変更することで作成し、上限値θｕを２５°とした欄にシャープ（＃）を付した。
【０１２１】
たとえばモノドメイン配向の垂直配向型液晶表示素子を２５°を超える範囲で回転させた場合、明表示の左右観察時に光透過率の非対称性が著しく現れることが想定される。このため、上限値θｕの値が２５°を超える場合には、上限値θｕを２５°とする（回転角度を２５°以下とする）ことで、表示品位を向上させることができる。
【０１２２】
第２シミュレーションでは、第１パネル構成において、二軸フィルム１６ｂの厚さ方向位相差を２２０ｎｍ、Ｃプレート１６ａの厚さ方向位相差を４４０ｎｍとしたが、第２パネル構成、第３パネル構成において、それぞれ二軸フィルム１６ｂの厚さ方向位相差を２２０ｎｍ、Ｃプレート１６ａの厚さ方向位相差を４４０ｎｍとした場合も、ほぼ同等の結果が得られることがわかった。
【０１２３】
第２シミュレーション等で得られた知見に基づき、たとえば次のような液晶表示装置を第２実施例による液晶表示装置とすることができる。
【０１２４】
第２実施例による液晶表示装置も、第１実施例による液晶表示装置と同様に、第１パネル構成（図１参照）の液晶表示素子を、たとえば下限値θｌ以上、上限値θｕ以下の角度θだけ時計回り方向に回転させた液晶表示装置である。下限値θｌ、上限値θｕは、ともに正の角度であり、θｌ＜θｕを満たす。ここで、θ、θｌ、及び、θｕの単位は、すべて「°」である。
【０１２５】
第２実施例による液晶表示装置は、Ｃプレート１６ａの厚さ方向位相差が４４０ｎｍであり、二軸フィルム１６ｂの厚さ方向位相差が２２０ｎｍである点で、第１実施例による液晶表示装置と異なる。
【０１２６】
また、下限値θｌ、上限値θｕが、以下の式（３）、（４）で表される点で、第１実施例による液晶表示装置と異なる。
2017198774.tif 000015
2017198774.tif 000016
【０１２７】
他の点は、第１実施例による液晶表示装置と同様である。
【０１２８】
第２実施例による液晶表示装置の表示領域（表示面）も、たとえば上方向が１２時方位、下方向が６時方位、右方向が３時方位、左方向が９時方位である。また、第２実施例による液晶表示装置も、たとえば自動車内の運転席と助手席の間のコンソールに配置される。
【０１２９】
更に、第２実施例による液晶表示装置においても、液晶層１３中央分子配向方位は（２７０−θ）°方位であり、表示領域の右方向（３時方位）から（９０＋θ）°だけ時計回り方向に回転した方向である。クロスニコル偏光板１７、１８の吸収軸方位は、液晶層１３中央分子配向方位と４５°の角度をなす方位であり、たとえば上側偏光板１７吸収軸方位は、（１３５−θ）°−（３１５−θ）°方位、下側偏光板１８吸収軸方位は、（４５−θ）°−（２２５−θ）°方位である。
【０１３０】
第２実施例による液晶表示装置も、良好な表示品位を有する液晶表示装置である。たとえば従来の理想的条件における液晶層のリタデーション以上のΔｎｄをもち、かつ、少なくとも左右方位（３時−９時方位）の６０°斜め観察において、短波長側の光の光抜けが抑制され、背景表示状態の青味が低減される液晶表示装置である。たとえば左右方位において、ブラウン系の背景色調を実現することができる。
【０１３１】
なお、角度θは、２５°以下であることが好ましい。θを２５°以下とすることで、明表示時の左右方位における光透過率の非対称性の現出を抑止することができる。
【０１３２】
第２実施例による液晶表示装置においては、液晶層１３中央分子配向方位を、表示領域の右方向から（９０＋θ）°だけ時計回り方向に回転した方向としたが、表示領域の右方向に限らず、背景色調の青味を低減したい第１方向から（９０＋θ）°だけ時計回り方向に回転した方向としてもよい。
【０１３３】
また、第１パネル構成（図１参照）の液晶表示素子（下側基板１２と下側偏光板１８の間にＣプレート１６ａ及び二軸フィルム１６ｂを配置する液晶表示素子）を、下限値θｌ以上、上限値θｕ以下の角度θだけ時計回り方向に回転させた液晶表示装置だけでなく、第２パネル構成（図２参照）の液晶表示素子（上側基板１１と上側偏光板１７の間にＣプレート１６ａを配置し、下側基板１２と下側偏光板１８の間に二軸フィルム１６ｂを配置する液晶表示素子）、第３パネル構成（図３参照）の液晶表示素子（上側基板１１と上側偏光板１７の間に二軸フィルム１６ｂを配置し、下側基板１２と下側偏光板１８の間にＣプレート１６ａを配置する液晶表示素子）を、たとえば下限値θｌ以上、上限値θｕ以下の角度θだけ時計回り方向に回転させた液晶表示装置とすることもできる。
【０１３４】
更に、二軸フィルム１６ｂの厚さ方向位相差は、２２０ｎｍ±１０ｎｍの範囲（２１０ｎｍ〜２３０ｎｍ）、Ｃプレート１６ａの厚さ方向位相差は、４４０ｎｍ±１０ｎｍの範囲（４３０ｎｍ〜４５０ｎｍ）でもよい。二軸フィルム１６ｂの厚さ方向位相差が２２０ｎｍ、Ｃプレート１６ａの厚さ方向位相差が４４０ｎｍの場合と同様の効果が奏されるであろう。
【０１３５】
［第３シミュレーション及び第３実施例］
第１パネル構成において、二軸フィルム１６ｂの厚さ方向位相差を１２５ｎｍ、Ｃプレート１６ａの厚さ方向位相差を５３５ｎｍとした第３シミュレーションについて説明する。
【０１３６】
最初に、液晶層１３中央分子配向方位（６時方位）と直交し、かつ、クロスニコル偏光板１７、１８の吸収軸方位と４５°をなす方位、たとえば３時方位の極角６０°方向から観察した場合に、背景光透過率が最も低くなる視角補償条件（従来の理想的条件）をシミュレーション解析した。その結果、二軸フィルム１６ｂの面内位相差Ｒｅ＝６５ｎｍ、液晶層１３のリタデーションΔｎｄ＝８７０ｎｍという値が得られた。
【０１３７】
次に、二軸フィルム１６ｂの面内位相差Ｒｅ、及び、液晶層１３のリタデーションΔｎｄを様々に変化させ、正面から極角６０°に傾けた際の背景光透過率（極角６０°方向から観察される背景光透過率）の観察方位依存性を計算した。観察方位は、３時（０°）方位を基準とし、これとなす角度で表す。上側偏光板１７側（Ｚ軸正方向）から見て、観察方位が、３時方位から反時計回り方向であるとき正の角度、３時方位から時計回り方向であるとき負の角度とした。
【０１３８】
更に、背景光透過率の観察方位依存性の計算結果から、従来の理想的条件における正面観察時色度よりも色度が大きくなる観察方位範囲を算出した。
【０１３９】
図１２Ａ、図１２Ｂは、それぞれ色度が、従来の理想的条件における正面観察時色度よりも大きくなる観察方位範囲の下限値、上限値を示すグラフである。両グラフの横軸は、二軸フィルム１６ｂの面内位相差Ｒｅを、単位「ｎｍ」で表す。図１２Ａに示すグラフの縦軸は、色度が、従来の理想的条件における正面観察時色度よりも大きくなる観察方位範囲の下限値を、単位「°」で表し、図１２Ｂに示すグラフの縦軸は、当該観察方位範囲の上限値を、単位「°」で表す。両グラフとも、液晶層１３のリタデーションΔｎｄをパラメータとして示してある。たとえば三角形のプロットで、Δｎｄ＝９００ｎｍのときの二軸フィルム１６ｂの面内位相差Ｒｅと観察方位範囲の下限値、上限値の関係を示す。
【０１４０】
図１２Ａに示す下限値以上、図１２Ｂに示す上限値以下の観察方位範囲における極角６０°方向からの観察で、従来の理想的条件における正面観察時色度よりも背景の色度が大きくなる。たとえば、液晶層１３のリタデーションΔｎｄ＝９００ｎｍ、二軸フィルム１６ｂの面内位相差Ｒｅ＝５５ｎｍのとき、３時方位から反時計回り方向に７°から７７°の範囲の極角６０°方向から液晶表示素子の表示面を見ると、従来の理想的条件における正面観察時色度よりも色度の大きい背景色調が観察される。
【０１４１】
図１２Ａ及び図１２Ｂから、観察方位範囲の下限値、上限値と面内位相差Ｒｅの間には、各Δｎｄ条件において、線形関係があると考えられる。そこで、まず、観察方位範囲の下限値（図１２Ａ）につき、各Δｎｄ条件において、プロットされた下限値θｌを、線形モデルθｌ＝ａ×Ｒｅ＋ｂの最小二乗法でフィッティングし、各Δｎｄ条件における係数ａ、ｂの値を計算した。
【０１４２】
図１３Ａ及び図１３Ｂに計算結果を示す。図１３Ａには、横軸をΔｎｄ（単位「ｎｍ」）、縦軸を係数ａとして、計算結果（Δｎｄ＝８８５ｎｍ、９００ｎｍ、９１５ｎｍ、９３０ｎｍ、９４５ｎｍのときの係数ａの値）をプロットした。また、図１３Ｂには、横軸をΔｎｄ（単位「ｎｍ」）、縦軸を係数ｂとして、計算結果（Δｎｄ＝８８５ｎｍ、９００ｎｍ、９１５ｎｍ、９３０ｎｍ、９４５ｎｍのときの係数ｂの値）をプロットした。
【０１４３】
本願発明者は、更に、図１３Ａ、図１３Ｂの各々において、プロットは、２次関数モデル（図１３Ａの場合は、ａ＝α×（Δｎｄ）２＋β×（Δｎｄ）＋γ、図１３Ｂの場合は、ｂ＝α×（Δｎｄ）２＋β×（Δｎｄ）＋γ）によりカーブフィッティング可能であることを見出した。最小二乗法を用いて計算した結果、図１３Ａにおいては、α＝−０．０００４、β＝０．７４７９、γ＝−３３６．６５、図１３Ｂにおいては、α＝０．０１６、β＝−２８．４５、γ＝１２５０７という結果が得られた。すなわち、色度が、従来の理想的条件における正面観察時色度よりも大きくなる観察方位範囲（極角６０°方向観察時）の下限値θｌは、二軸フィルム１６ｂの面内位相差Ｒｅ、及び、液晶層１３のリタデーションΔｎｄを用いて、次式（５）
2017198774.tif 000017
で表されることがわかった。
【０１４４】
観察方位範囲の上限値θｕ（図１２Ｂ）についても、同様の計算を行った。
【０１４５】
図１２Ｂにおいて、各Δｎｄ条件につき、プロットされた上限値θｕを、線形モデルθｕ＝ａ×Ｒｅ＋ｂの最小二乗法でフィッティングし、各Δｎｄ条件における係数ａ、ｂの値を計算した。
【０１４６】
図１３Ｃ及び図１３Ｄに計算結果を示す。図１３Ｃには、横軸をΔｎｄ（単位「ｎｍ」）、縦軸を係数ａとして、計算結果（Δｎｄ＝９００ｎｍ、９１５ｎｍ、９３０ｎｍ、９４５ｎｍ、９６０ｎｍのときの係数ａの値）をプロットした。また、図１３Ｄには、横軸をΔｎｄ（単位「ｎｍ」）、縦軸を係数ｂとして、計算結果（Δｎｄ＝９００ｎｍ、９１５ｎｍ、９３０ｎｍ、９４５ｎｍ、９６０ｎｍのときの係数ｂの値）をプロットした。
【０１４７】
本願発明者は、更に、図１３Ｃ、図１３Ｄの各々において、プロットは、２次関数モデル（図１３Ｃの場合は、ａ＝α×（Δｎｄ）２＋β×（Δｎｄ）＋γ、図１３Ｄの場合は、ｂ＝α×（Δｎｄ）２＋β×（Δｎｄ）＋γ）によりカーブフィッティング可能であることを見出した。最小二乗法を用いて計算した結果、図１３Ｃにおいては、α＝−０．０００３、β＝０．５０５７、γ＝−２５２．７２、図１３Ｄにおいては、α＝０．０１７７、β＝−３４．９１８、γ＝１７３６９という結果が得られた。すなわち、色度が、従来の理想的条件における正面観察時色度よりも大きくなる観察方位範囲（極角６０°方向観察時）の上限値θｕは、二軸フィルム１６ｂの面内位相差Ｒｅ、及び、液晶層１３のリタデーションΔｎｄを用いて、次式（６）
2017198774.tif 000018
で表されることがわかった。
【０１４８】
下限値をθｌとし上限値をθｕとする観察方位範囲、及び、Ｒｅ、Δｎｄ条件においては、極角６０°観察時、短波長成分を多くは含まないニュートラル〜ブラウン系の背景色調が観察される。
【０１４９】
本願発明者らは、更に検討を続けた。
【０１５０】
図１４Ａは、各Ｒｅ及びΔｎｄ条件において、色度が、従来の理想的条件における正面観察時色度よりも大きくなる観察方位範囲（極角６０°方向観察時）の下限値θｌ及び上限値θｕをあらためて示す表である。
【０１５１】
上述したように、第３シミュレーションのパネル構成における従来の理想的条件は、二軸フィルム１６ｂの面内位相差Ｒｅ＝６５ｎｍ、液晶層１３のリタデーションΔｎｄ＝８７０ｎｍである。また、「背景技術」で説明したように、液晶層１３のリタデーションΔｎｄを従来の理想的条件よりも小さくしないという要求がある。
【０１５２】
図１４Ａの表には、液晶層１３のリタデーションΔｎｄが従来の理想的条件よりも小さくなる下限値θｌ〜上限値θｕの範囲にアステリスク（＊）を付した。
【０１５３】
更に、下限値θｌ〜上限値θｕの間に０°を含む範囲は、従来の液晶表示装置の構成を含む範囲であるとも考えられる。
【０１５４】
図１４Ａの表には、下限値θｌ〜上限値θｕの間に０°を含む観察方位範囲（＊が付された範囲を除く。）に米印（※）を付した。
【０１５５】
図１４Ｂは、図１４Ａの表から、アステリスク（＊）または米印（※）が付された範囲を除外した表である。
【０１５６】
下限値θｌ及び上限値θｕがともに正の値となることがわかる。
【０１５７】
たとえば第３シミュレーションのパネル構成において、本表に示される各Ｒｅ、Δｎｄ条件を適用し、対応する観察方位（下限値θｌ以上、上限値θｕ以下の観察方位）の極角６０°方向から液晶表示素子の表示面を観察すると、従来の理想的条件における正面観察時色度よりも色度が大きい背景色調が観察される。また、適用されるΔｎｄは、従来の理想的条件における液晶層のリタデーション以上の値をもつ。
【０１５８】
このため、液晶表示装置において、液晶表示素子を、たとえば下限値θｌ以上、上限値θｕ以下の角度だけ逆方向（時計回り方向）に回転させることにより、従来の理想的条件における液晶層のリタデーション以上のΔｎｄをもち、かつ、「少なくとも左右方位（３時−９時方位）において、短波長側の光の光抜けが抑制され、背景表示状態の青味が低減される液晶表示装置」を実現可能である。
【０１５９】
ここで、下限値θｌは、正の値であり、以下の式（５）で表される。 
2017198774.tif 000019
【０１６０】
また、上限値θｕは、θｌ＜θｕを満たす正の値であり、以下の式（６）で表される。
2017198774.tif 000020
【０１６１】
図１４Ｃは、液晶表示装置において、液晶表示素子を、たとえば下限値θｌ以上、上限値θｕ以下の角度だけ逆方向（時計回り方向）に回転させる場合に、好ましい下限値θｌ〜上限値θｕの範囲を示す表である。本表は、図１４Ｂの表に示される上限値θｕの値が２５°を超える場合（下限値θｌの値は２５°を超えない場合）に、上限値θｕを２５°に変更することで作成し、上限値θｕを２５°とした欄にシャープ（＃）を付した。また、下限値θｌの値が２５°を超える場合は、下限値θｌ及び上限値θｕの欄に取り消し線を付した。
【０１６２】
たとえばモノドメイン配向の垂直配向型液晶表示素子を２５°を超える範囲で回転させた場合、明表示の左右観察時に光透過率の非対称性が著しく現れることが想定される。このため、上限値θｕの値が２５°を超える場合（下限値θｌの値は２５°を超えない場合）には、上限値θｕを２５°とする（回転角度を２５°以下とする）ことで、表示品位を向上させることができる。なお、下限値θｌの値が２５°を超える場合は、回転角度を２５°以下とすることはできないため、これを好ましい下限値θｌ〜上限値θｕの範囲から除外する。
【０１６３】
図７Ｃと図１４Ｃを比較参照すると、従来の理想的条件におけるＲｅを基準に見たとき、第３シミュレーションの条件（二軸フィルム１６ｂの厚さ方向位相差は１２５ｎｍ、Ｃプレート１６ａの厚さ方向位相差は５３５ｎｍ、従来の理想的条件におけるＲｅは６５ｎｍ）では、第１シミュレーションの条件（二軸フィルム１６ｂの厚さ方向位相差は４４０ｎｍ、Ｃプレート１６ａの厚さ方向位相差は２２０ｎｍ、従来の理想的条件におけるＲｅは４５ｎｍ）に比べ、Δｎｄを設定できる範囲、及び、回転角度設定のマージンが狭いことがわかる。
【０１６４】
第３シミュレーションでは、第１パネル構成において、二軸フィルム１６ｂの厚さ方向位相差を１２５ｎｍ、Ｃプレート１６ａの厚さ方向位相差を５３５ｎｍとしたが、第２パネル構成、第３パネル構成において、それぞれ二軸フィルム１６ｂの厚さ方向位相差を１２５ｎｍ、Ｃプレート１６ａの厚さ方向位相差を５３５ｎｍとした場合も、ほぼ同等の結果が得られることがわかった。
【０１６５】
第３シミュレーション等で得られた知見に基づき、たとえば次のような液晶表示装置を第３実施例による液晶表示装置とすることができる。
【０１６６】
第３実施例による液晶表示装置も、第１実施例による液晶表示装置と同様に、第１パネル構成（図１参照）の液晶表示素子を、たとえば下限値θｌ以上、上限値θｕ以下の角度θだけ時計回り方向に回転させた液晶表示装置である。下限値θｌ、上限値θｕは、ともに正の角度であり、θｌ＜θｕを満たす。ここで、θ、θｌ、及び、θｕの単位は、すべて「°」である。
【０１６７】
第３実施例による液晶表示装置は、Ｃプレート１６ａの厚さ方向位相差が５３５ｎｍであり、二軸フィルム１６ｂの厚さ方向位相差が１２５ｎｍである点で、第１実施例による液晶表示装置と異なる。
【０１６８】
また、下限値θｌ、上限値θｕが、以下の式（５）、（６）で表される点で、第１実施例による液晶表示装置と異なる。
2017198774.tif 000021
2017198774.tif 000022
【０１６９】
他の点は、第１実施例による液晶表示装置と同様である。
【０１７０】
第３実施例による液晶表示装置の表示領域（表示面）も、たとえば上方向が１２時方位、下方向が６時方位、右方向が３時方位、左方向が９時方位である。また、第３実施例による液晶表示装置も、たとえば自動車内の運転席と助手席の間のコンソールに配置される。
【０１７１】
更に、第３実施例による液晶表示装置においても、液晶層１３中央分子配向方位は（２７０−θ）°方位であり、表示領域の右方向（３時方位）から（９０＋θ）°だけ時計回り方向に回転した方向である。クロスニコル偏光板１７、１８の吸収軸方位は、液晶層１３中央分子配向方位と４５°の角度をなす方位であり、たとえば上側偏光板１７吸収軸方位は、（１３５−θ）°−（３１５−θ）°方位、下側偏光板１８吸収軸方位は、（４５−θ）°−（２２５−θ）°方位である。
【０１７２】
第３実施例による液晶表示装置も、良好な表示品位を有する液晶表示装置である。たとえば従来の理想的条件における液晶層のリタデーション以上のΔｎｄをもち、かつ、少なくとも左右方位（３時−９時方位）の６０°斜め観察において、短波長側の光の光抜けが抑制され、背景表示状態の青味が低減される液晶表示装置である。たとえば左右方位において、ブラウン系の背景色調を実現することができる。
【０１７３】
なお、角度θは、２５°以下であることが好ましい。θを２５°以下とすることで、明表示時の左右方位における光透過率の非対称性の現出を抑止することができる。
【０１７４】
第３実施例による液晶表示装置においては、液晶層１３中央分子配向方位を、表示領域の右方向から（９０＋θ）°だけ時計回り方向に回転した方向としたが、表示領域の右方向に限らず、背景色調の青味を低減したい第１方向から（９０＋θ）°だけ時計回り方向に回転した方向としてもよい。
【０１７５】
また、第１パネル構成（図１参照）の液晶表示素子（下側基板１２と下側偏光板１８の間にＣプレート１６ａ及び二軸フィルム１６ｂを配置する液晶表示素子）を、下限値θｌ以上、上限値θｕ以下の角度θだけ時計回り方向に回転させた液晶表示装置だけでなく、第２パネル構成（図２参照）の液晶表示素子（上側基板１１と上側偏光板１７の間にＣプレート１６ａを配置し、下側基板１２と下側偏光板１８の間に二軸フィルム１６ｂを配置する液晶表示素子）、第３パネル構成（図３参照）の液晶表示素子（上側基板１１と上側偏光板１７の間に二軸フィルム１６ｂを配置し、下側基板１２と下側偏光板１８の間にＣプレート１６ａを配置する液晶表示素子）を、たとえば下限値θｌ以上、上限値θｕ以下の角度θだけ時計回り方向に回転させた液晶表示装置とすることもできる。
【０１７６】
更に、二軸フィルム１６ｂの厚さ方向位相差は、１２５ｎｍ±１０ｎｍの範囲（１１５ｎｍ〜１３５ｎｍ）、Ｃプレート１６ａの厚さ方向位相差は、５３５ｎｍ±１０ｎｍの範囲（５２５ｎｍ〜５４５ｎｍ）でもよい。二軸フィルム１６ｂの厚さ方向位相差が１２５ｎｍ、Ｃプレート１６ａの厚さ方向位相差が５３５ｎｍの場合と同様の効果が奏されるであろう。
【０１７７】
［第４シミュレーション及び第４実施例］
第１パネル構成において、二軸フィルム１６ｂの厚さ方向位相差を６６０ｎｍとし、Ｃプレート１６ａを配置しない（視角補償板１６を厚さ方向位相差が６６０ｎｍの二軸フィルム１６ｂのみで構成する）第４シミュレーションについて説明する。
【０１７８】
最初に、液晶層１３中央分子配向方位（６時方位）と直交し、かつ、クロスニコル偏光板１７、１８の吸収軸方位と４５°をなす方位、たとえば３時方位の極角６０°方向から観察した場合に、背景光透過率が最も低くなる視角補償条件（従来の理想的条件）をシミュレーション解析した。その結果、二軸フィルム１６ｂの面内位相差Ｒｅ＝３５ｎｍ、液晶層１３のリタデーションΔｎｄ＝８７０ｎｍという値が得られた。
【０１７９】
次に、二軸フィルム１６ｂの面内位相差Ｒｅ、及び、液晶層１３のリタデーションΔｎｄを様々に変化させ、正面から極角６０°に傾けた際の背景光透過率（極角６０°方向から観察される背景光透過率）の観察方位依存性を計算した。観察方位は、３時（０°）方位を基準とし、これとなす角度で表す。上側偏光板１７側（Ｚ軸正方向）から見て、観察方位が、３時方位から反時計回り方向であるとき正の角度、３時方位から時計回り方向であるとき負の角度とした。
【０１８０】
更に、背景光透過率の観察方位依存性の計算結果から、従来の理想的条件における正面観察時色度よりも色度が大きくなる観察方位範囲を算出した。
【０１８１】
図１５Ａ、図１５Ｂは、それぞれ色度が、従来の理想的条件における正面観察時色度よりも大きくなる観察方位範囲の下限値、上限値を示すグラフである。両グラフの横軸は、二軸フィルム１６ｂの面内位相差Ｒｅを、単位「ｎｍ」で表す。図１５Ａに示すグラフの縦軸は、色度が、従来の理想的条件における正面観察時色度よりも大きくなる観察方位範囲の下限値を、単位「°」で表し、図１５Ｂに示すグラフの縦軸は、当該観察方位範囲の上限値を、単位「°」で表す。両グラフとも、液晶層１３のリタデーションΔｎｄをパラメータとして示してある。たとえば三角形のプロットで、Δｎｄ＝８５５ｎｍのときの二軸フィルム１６ｂの面内位相差Ｒｅと観察方位範囲の下限値、上限値の関係を示す。
【０１８２】
図１５Ａに示す下限値以上、図１５Ｂに示す上限値以下の観察方位範囲における極角６０°方向からの観察で、従来の理想的条件における正面観察時色度よりも背景の色度が大きくなる。たとえば、液晶層１３のリタデーションΔｎｄ＝８７０ｎｍ、二軸フィルム１６ｂの面内位相差Ｒｅ＝３０ｎｍのとき、３時方位から反時計回り方向に２°から７°の範囲の極角６０°方向から液晶表示素子の表示面を見ると、従来の理想的条件における正面観察時色度よりも色度の大きい背景色調が観察される。
【０１８３】
図１５Ａ及び図１５Ｂから、観察方位範囲の下限値、上限値と面内位相差Ｒｅの間には、各Δｎｄ条件において、線形関係があると考えられる。そこで、まず、観察方位範囲の下限値（図１５Ａ）につき、各Δｎｄ条件において、プロットされた下限値θｌを、線形モデルθｌ＝ａ×Ｒｅ＋ｂの最小二乗法でフィッティングし、各Δｎｄ条件における係数ａ、ｂの値を計算した。
【０１８４】
図１６Ａ及び図１６Ｂに計算結果を示す。図１６Ａには、横軸をΔｎｄ（単位「ｎｍ」）、縦軸を係数ａとして、計算結果（Δｎｄ＝８２５ｎｍ、８４０ｎｍ、８５５ｎｍ、８７０ｎｍのときの係数ａの値）をプロットした。また、図１６Ｂには、横軸をΔｎｄ（単位「ｎｍ」）、縦軸を係数ｂとして、計算結果（Δｎｄ＝８２５ｎｍ、８４０ｎｍ、８５５ｎｍ、８７０ｎｍのときの係数ｂの値）をプロットした。
【０１８５】
本願発明者は、更に、図１６Ａ、図１６Ｂの各々において、プロットは、２次関数モデル（図１６Ａの場合は、ａ＝α×（Δｎｄ）２＋β×（Δｎｄ）＋γ、図１６Ｂの場合は、ｂ＝α×（Δｎｄ）２＋β×（Δｎｄ）＋γ）によりカーブフィッティング可能であることを見出した。最小二乗法を用いて計算した結果、図１６Ａにおいては、α＝−０．０００４、β＝０．７６６７、γ＝−３３１．４、図１６Ｂにおいては、α＝０．０１３３、β＝−２２．６２７、γ＝９６１９．１という結果が得られた。すなわち、色度が、従来の理想的条件における正面観察時色度よりも大きくなる観察方位範囲（極角６０°方向観察時）の下限値θｌは、二軸フィルム１６ｂの面内位相差Ｒｅ、及び、液晶層１３のリタデーションΔｎｄを用いて、次式（７）
2017198774.tif 000023
で表されることがわかった。
【０１８６】
観察方位範囲の上限値θｕ（図１５Ｂ）についても、同様の計算を行った。
【０１８７】
図１５Ｂにおいて、各Δｎｄ条件につき、プロットされた上限値θｕを、線形モデルθｕ＝ａ×Ｒｅ＋ｂの最小二乗法でフィッティングし、各Δｎｄ条件における係数ａ、ｂの値を計算した。
【０１８８】
図１６Ｃ及び図１６Ｄに計算結果を示す。図１６Ｃには、横軸をΔｎｄ（単位「ｎｍ」）、縦軸を係数ａとして、計算結果（Δｎｄ＝８２５ｎｍ、８４０ｎｍ、８５５ｎｍ、８７０ｎｍのときの係数ａの値）をプロットした。また、図１６Ｄには、横軸をΔｎｄ（単位「ｎｍ」）、縦軸を係数ｂとして、計算結果（Δｎｄ＝８２５ｎｍ、８４０ｎｍ、８５５ｎｍ、８７０ｎｍのときの係数ｂの値）をプロットした。
【０１８９】
本願発明者は、更に、図１６Ｃ、図１６Ｄの各々において、プロットは、２次関数モデル（図１６Ｃの場合は、ａ＝α×（Δｎｄ）２＋β×（Δｎｄ）＋γ、図１６Ｄの場合は、ｂ＝α×（Δｎｄ）２＋β×（Δｎｄ）＋γ）によりカーブフィッティング可能であることを見出した。最小二乗法を用いて計算した結果、図１６Ｃにおいては、α＝０．０００２、β＝−０．３５４、γ＝１４１．３９、図１６Ｄにおいては、α＝−０．００７８、β＝１２．５５、γ＝−５０７２．８という結果が得られた。すなわち、色度が、従来の理想的条件における正面観察時色度よりも大きくなる観察方位範囲（極角６０°方向観察時）の上限値θｕは、二軸フィルム１６ｂの面内位相差Ｒｅ、及び、液晶層１３のリタデーションΔｎｄを用いて、次式（８）
2017198774.tif 000024
で表されることがわかった。
【０１９０】
下限値をθｌとし上限値をθｕとする観察方位範囲、及び、Ｒｅ、Δｎｄ条件においては、極角６０°観察時、短波長成分を多くは含まないニュートラル〜ブラウン系の背景色調が観察される。
【０１９１】
本願発明者らは、更に検討を続けた。
【０１９２】
図１７Ａは、各Ｒｅ及びΔｎｄ条件において、色度が、従来の理想的条件における正面観察時色度よりも大きくなる観察方位範囲（極角６０°方向観察時）の下限値θｌ及び上限値θｕをあらためて示す表である。
【０１９３】
上述したように、第４シミュレーションのパネル構成における従来の理想的条件は、二軸フィルム１６ｂの面内位相差Ｒｅ＝３５ｎｍ、液晶層１３のリタデーションΔｎｄ＝８７０ｎｍである。また、「背景技術」で説明したように、液晶層１３のリタデーションΔｎｄを従来の理想的条件よりも小さくしないという要求がある。
【０１９４】
図１７Ａの表には、液晶層１３のリタデーションΔｎｄが従来の理想的条件よりも小さくなる下限値θｌ〜上限値θｕの範囲にアステリスク（＊）を付した。
【０１９５】
更に、下限値θｌ〜上限値θｕの間に０°を含む範囲は、従来の液晶表示装置の構成を含む範囲であるとも考えられる。
【０１９６】
図１７Ａの表には、下限値θｌ〜上限値θｕの間に０°を含む観察方位範囲（＊が付された範囲を除く。）に米印（※）を付した。
【０１９７】
図１７Ｂは、図１７Ａの表から、アステリスク（＊）または米印（※）が付された範囲を除外した表である。
【０１９８】
下限値θｌ及び上限値θｕがともに正の値となることがわかる。
【０１９９】
たとえば第４シミュレーションのパネル構成において、本表に示される各Ｒｅ、Δｎｄ条件を適用し、対応する観察方位（下限値θｌ以上、上限値θｕ以下の観察方位）の極角６０°方向から液晶表示素子の表示面を観察すると、従来の理想的条件における正面観察時色度よりも色度が大きい背景色調が観察される。また、適用されるΔｎｄは、従来の理想的条件における液晶層のリタデーション以上の値をもつ。
【０２００】
このため、液晶表示装置において、液晶表示素子を、たとえば下限値θｌ以上、上限値θｕ以下の角度だけ逆方向（時計回り方向）に回転させることにより、従来の理想的条件における液晶層のリタデーション以上のΔｎｄをもち、かつ、「少なくとも左右方位（３時−９時方位）において、短波長側の光の光抜けが抑制され、背景表示状態の青味が低減される液晶表示装置」を実現可能である。
【０２０１】
ここで、下限値θｌは、正の値であり、以下の式（７）で表される。
2017198774.tif 000025
【０２０２】
また、上限値θｕは、θｌ＜θｕを満たす正の値であり、以下の式（８）で表される。
2017198774.tif 000026
【０２０３】
図７Ｂ、図１１Ｂ、図１４Ｂと図１７Ｂを比較参照すると、第４シミュレーションの条件においては、Δｎｄ及び回転角度を設定できる範囲が狭いことがわかる。
【０２０４】
なお、モノドメイン配向の垂直配向型液晶表示素子を２５°を超える範囲で回転させた場合、明表示の左右観察時に光透過率の非対称性が著しく現れることが想定されるため、回転角度は２５°以下とすることが好ましい。そうすることで、表示品位を向上させることができる。ただ、図１７Ｂに示す下限値θｌ〜上限値θｕの範囲には、２５°を超える角度は存在しない。
【０２０５】
第４シミュレーションでは、第１パネル構成において、二軸フィルム１６ｂの厚さ方向位相差を６６０ｎｍとし、Ｃプレート１６ａを用いないものとしたが、第３パネル構成において、二軸フィルム１６ｂの厚さ方向位相差を６６０ｎｍとし、Ｃプレート１６ａを用いないとした場合も、ほぼ同等の結果が得られることがわかった。
【０２０６】
第４シミュレーション等で得られた知見に基づき、たとえば次のような液晶表示装置を第４実施例による液晶表示装置とすることができる。
【０２０７】
第４実施例による液晶表示装置も、第１実施例による液晶表示装置と同様に、第１パネル構成（図１参照。ただし、第４実施例による液晶表示装置においては、Ｃプレート１６ａは用いられない。）の液晶表示素子を、たとえば下限値θｌ以上、上限値θｕ以下の角度θだけ時計回り方向に回転させた液晶表示装置である。下限値θｌ、上限値θｕは、ともに正の角度であり、θｌ＜θｕを満たす。ここで、θ、θｌ、及び、θｕの単位は、すべて「°」である。
【０２０８】
第４実施例による液晶表示装置は、Ｃプレート１６ａを配置しない点、及び、二軸フィルム１６ｂの厚さ方向位相差が６６０ｎｍである点で、第１実施例による液晶表示装置と異なる。
【０２０９】
また、下限値θｌ、上限値θｕが、以下の式（７）、（８）で表される点で、第１実施例による液晶表示装置と異なる。
2017198774.tif 000027
2017198774.tif 000028
【０２１０】
他の点は、第１実施例による液晶表示装置と同様である。
【０２１１】
第４実施例による液晶表示装置の表示領域（表示面）も、たとえば上方向が１２時方位、下方向が６時方位、右方向が３時方位、左方向が９時方位である。また、第４実施例による液晶表示装置も、たとえば自動車内の運転席と助手席の間のコンソールに配置される。
【０２１２】
更に、第４実施例による液晶表示装置においても、液晶層１３中央分子配向方位は（２７０−θ）°方位であり、表示領域の右方向（３時方位）から（９０＋θ）°だけ時計回り方向に回転した方向である。クロスニコル偏光板１７、１８の吸収軸方位は、液晶層１３中央分子配向方位と４５°の角度をなす方位であり、たとえば上側偏光板１７吸収軸方位は、（１３５−θ）°−（３１５−θ）°方位、下側偏光板１８吸収軸方位は、（４５−θ）°−（２２５−θ）°方位である。
【０２１３】
第４実施例による液晶表示装置も、良好な表示品位を有する液晶表示装置である。たとえば従来の理想的条件における液晶層のリタデーション以上のΔｎｄをもち、かつ、少なくとも左右方位（３時−９時方位）の６０°斜め観察において、短波長側の光の光抜けが抑制され、背景表示状態の青味が低減される液晶表示装置である。たとえば左右方位において、ブラウン系の背景色調を実現することができる。
【０２１４】
なお、角度θは、２５°以下であることが好ましい。θを２５°以下とすることで、明表示時の左右方位における光透過率の非対称性の現出を抑止することができる。
【０２１５】
第４実施例による液晶表示装置においては、液晶層１３中央分子配向方位を、表示領域の右方向から（９０＋θ）°だけ時計回り方向に回転した方向としたが、表示領域の右方向に限らず、背景色調の青味を低減したい第１方向から（９０＋θ）°だけ時計回り方向に回転した方向としてもよい。
【０２１６】
また、第１パネル構成（図１参照。ただし、第４実施例による液晶表示装置においては、Ｃプレート１６ａは用いられない。）の液晶表示素子（下側基板１２と下側偏光板１８の間に二軸フィルム１６ｂを配置する液晶表示素子）を、下限値θｌ以上、上限値θｕ以下の角度θだけ時計回り方向に回転させた液晶表示装置だけでなく、第３パネル構成（図３参照）において、Ｃプレート１６ａを用いない液晶表示素子（上側基板１１と上側偏光板１７の間に二軸フィルム１６ｂを配置する液晶表示素子）を、たとえば下限値θｌ以上、上限値θｕ以下の角度θだけ時計回り方向に回転させた液晶表示装置とすることもできる。
【０２１７】
更に、二軸フィルム１６ｂの厚さ方向位相差は、６６０ｎｍ±１０ｎｍの範囲（６５０ｎｍ〜６７０ｎｍ）でもよい。二軸フィルム１６ｂの厚さ方向位相差が６６０ｎｍの場合と同様の効果が奏されるであろう。
【０２１８】
第１〜第４シミュレーションの条件では、従来の理想的条件における液晶層１３のリタデーションΔｎｄは、すべて８７０ｎｍである。第１〜第４シミュレーションの結果から、極角６０°観察時における色度が正面観察時色度よりも大きくなる観察方位が比較的小さい角度で、かつ、Δｎｄに対するマージンが広いのは、二軸フィルム１６ｂの厚さ方向リタデーションＲｔｈが４４０ｎｍ程度（第１シミュレーション）の場合であることがわかる。
【０２１９】
［第５シミュレーション及び第５実施例］
第１パネル構成において、二軸フィルム１６ｂの厚さ方向位相差を４４０ｎｍとし、Ｃプレート１６ａを配置しない（視角補償板１６を厚さ方向位相差が４４０ｎｍの二軸フィルム１６ｂのみで構成する）第５シミュレーションについて説明する。第５シミュレーションにおける解析対象は、二軸フィルム１６ｂの厚さ方向位相差を６６０ｎｍではなく、４４０ｎｍとした点で、第４シミュレーションにおけるそれと相違する。
【０２２０】
最初に、液晶層１３中央分子配向方位（６時方位）と直交し、かつ、クロスニコル偏光板１７、１８の吸収軸方位と４５°をなす方位、たとえば３時方位の極角６０°方向から観察した場合に、背景光透過率が最も低くなる視角補償条件（従来の理想的条件）をシミュレーション解析した。その結果、二軸フィルム１６ｂの面内位相差Ｒｅ＝４５ｎｍ、液晶層１３のリタデーションΔｎｄ＝６１０ｎｍという値が得られた。第５シミュレーションの条件では、従来の理想的条件におけるΔｎｄ（６１０ｎｍ）が、第１〜第４シミュレーションにおけるそれ（８７０ｎｍ）より小さい。
【０２２１】
次に、二軸フィルム１６ｂの面内位相差Ｒｅ、及び、液晶層１３のリタデーションΔｎｄを様々に変化させ、正面から極角６０°に傾けた際の背景光透過率（極角６０°方向から観察される背景光透過率）の観察方位依存性を計算した。観察方位は、３時（０°）方位を基準とし、これとなす角度で表す。上側偏光板１７側（Ｚ軸正方向）から見て、観察方位が、３時方位から反時計回り方向であるとき正の角度、３時方位から時計回り方向であるとき負の角度とした。
【０２２２】
更に、背景光透過率の観察方位依存性の計算結果から、従来の理想的条件における正面観察時色度よりも色度が大きくなる観察方位範囲を算出した。
【０２２３】
図１８Ａ、図１８Ｂは、それぞれ色度が、従来の理想的条件における正面観察時色度よりも大きくなる観察方位範囲の下限値、上限値を示すグラフである。両グラフの横軸は、二軸フィルム１６ｂの面内位相差Ｒｅを、単位「ｎｍ」で表す。図１８Ａに示すグラフの縦軸は、色度が、従来の理想的条件における正面観察時色度よりも大きくなる観察方位範囲の下限値を、単位「°」で表し、図１８Ｂに示すグラフの縦軸は、当該観察方位範囲の上限値を、単位「°」で表す。両グラフとも、液晶層１３のリタデーションΔｎｄをパラメータとして示してある。たとえば三角形のプロットで、Δｎｄ＝６１５ｎｍのときの二軸フィルム１６ｂの面内位相差Ｒｅと観察方位範囲の下限値、上限値の関係を示す。
【０２２４】
図１８Ａに示す下限値以上、図１８Ｂに示す上限値以下の観察方位範囲における極角６０°方向からの観察で、従来の理想的条件における正面観察時色度よりも背景の色度が大きくなる。たとえば、液晶層１３のリタデーションΔｎｄ＝６６０ｎｍ、二軸フィルム１６ｂの面内位相差Ｒｅ＝４０ｎｍのとき、３時方位から反時計回り方向に４°から１６°の範囲の極角６０°方向から液晶表示素子の表示面を見ると、従来の理想的条件における正面観察時色度よりも色度の大きい背景色調が観察される。
【０２２５】
図１８Ａ及び図１８Ｂから、観察方位範囲の下限値、上限値と面内位相差Ｒｅの間には、各Δｎｄ条件において、線形関係があると考えられる。そこで、まず、観察方位範囲の下限値（図１８Ａ）につき、各Δｎｄ条件において、プロットされた下限値θｌを、線形モデルθｌ＝ａ×Ｒｅ＋ｂの最小二乗法でフィッティングし、各Δｎｄ条件における係数ａ、ｂの値を計算した。
【０２２６】
図１９Ａ及び図１９Ｂに計算結果を示す。図１９Ａには、横軸をΔｎｄ（単位「ｎｍ」）、縦軸を係数ａとして、計算結果（Δｎｄ＝５８５ｎｍ、６００ｎｍ、６１５ｎｍ、６３０ｎｍ、６４５ｎｍ、６６０ｎｍ、６７５ｎｍのときの係数ａの値）をプロットした。また、図１９Ｂには、横軸をΔｎｄ（単位「ｎｍ」）、縦軸を係数ｂとして、計算結果（Δｎｄ＝５８５ｎｍ、６００ｎｍ、６１５ｎｍ、６３０ｎｍ、６４５ｎｍ、６６０ｎｍ、６７５ｎｍのときの係数ｂの値）をプロットした。
【０２２７】
本願発明者は、更に、図１９Ａ、図１９Ｂの各々において、プロットは、２次関数モデル（図１９Ａの場合は、ａ＝α×（Δｎｄ）２＋β×（Δｎｄ）＋γ、図１９Ｂの場合は、ｂ＝α×（Δｎｄ）２＋β×（Δｎｄ）＋γ）によりカーブフィッティング可能であることを見出した。最小二乗法を用いて計算した結果、図１９Ａにおいては、α＝９×１０−５、β＝−０．１２２６、γ＝４２．０６９、図１９Ｂにおいては、α＝−０．００５、β＝６．８４２、γ＝−２３６５．８という結果が得られた。すなわち、色度が、従来の理想的条件における正面観察時色度よりも大きくなる観察方位範囲（極角６０°方向観察時）の下限値θｌは、二軸フィルム１６ｂの面内位相差Ｒｅ、及び、液晶層１３のリタデーションΔｎｄを用いて、次式（９）
2017198774.tif 000029
で表されることがわかった。
【０２２８】
観察方位範囲の上限値θｕ（図１８Ｂ）についても、同様の計算を行った。
【０２２９】
図１８Ｂにおいて、各Δｎｄ条件につき、プロットされた上限値θｕを、線形モデルθｕ＝ａ×Ｒｅ＋ｂの最小二乗法でフィッティングし、各Δｎｄ条件における係数ａ、ｂの値を計算した。
【０２３０】
図１９Ｃ及び図１９Ｄに計算結果を示す。図１９Ｃには、横軸をΔｎｄ（単位「ｎｍ」）、縦軸を係数ａとして、計算結果（Δｎｄ＝５８５ｎｍ、６００ｎｍ、６１５ｎｍ、６３０ｎｍ、６４５ｎｍ、６６０ｎｍのときの係数ａの値）をプロットした。また、図１９Ｄには、横軸をΔｎｄ（単位「ｎｍ」）、縦軸を係数ｂとして、計算結果（Δｎｄ＝５８５ｎｍ、６００ｎｍ、６１５ｎｍ、６３０ｎｍ、６４５ｎｍ、６６０ｎｍのときの係数ｂの値）をプロットした。
【０２３１】
本願発明者は、更に、図１９Ｃ、図１９Ｄの各々において、プロットは、２次関数モデル（図１９Ｃの場合は、ａ＝α×（Δｎｄ）２＋β×（Δｎｄ）＋γ、図１９Ｄの場合は、ｂ＝α×（Δｎｄ）２＋β×（Δｎｄ）＋γ）によりカーブフィッティング可能であることを見出した。最小二乗法を用いて計算した結果、図１９Ｃにおいては、α＝−０．０００４、β＝０．４３８９、γ＝−１３５．８、図１９Ｄにおいては、α＝０．０１４６、β＝−１７．７７２、γ＝５４６９．３という結果が得られた。すなわち、色度が、従来の理想的条件における正面観察時色度よりも大きくなる観察方位範囲（極角６０°方向観察時）の上限値θｕは、二軸フィルム１６ｂの面内位相差Ｒｅ、及び、液晶層１３のリタデーションΔｎｄを用いて、次式（１０）
2017198774.tif 000030
で表されることがわかった。
【０２３２】
下限値をθｌとし上限値をθｕとする観察方位範囲、及び、Ｒｅ、Δｎｄ条件においては、極角６０°観察時、短波長成分を多くは含まないニュートラル〜ブラウン系の背景色調が観察される。
【０２３３】
本願発明者らは、更に検討を続けた。
【０２３４】
図２０Ａは、各Ｒｅ及びΔｎｄ条件において、色度が、従来の理想的条件における正面観察時色度よりも大きくなる観察方位範囲（極角６０°方向観察時）の下限値θｌ及び上限値θｕをあらためて示す表である。
【０２３５】
上述したように、第５シミュレーションのパネル構成における従来の理想的条件は、二軸フィルム１６ｂの面内位相差Ｒｅ＝４５ｎｍ、液晶層１３のリタデーションΔｎｄ＝６１０ｎｍである。また、「背景技術」で説明したように、液晶層１３のリタデーションΔｎｄを従来の理想的条件よりも小さくしないという要求がある。
【０２３６】
図２０Ａの表には、液晶層１３のリタデーションΔｎｄが従来の理想的条件よりも小さくなる下限値θｌ〜上限値θｕの範囲にアステリスク（＊）を付した。
【０２３７】
更に、下限値θｌ〜上限値θｕの間に０°を含む範囲は、従来の液晶表示装置の構成を含む範囲であるとも考えられる。
【０２３８】
図２０Ａの表には、下限値θｌ〜上限値θｕの間に０°を含む観察方位範囲（＊が付された範囲を除く。）に米印（※）を付した。
【０２３９】
図２０Ｂは、図２０Ａの表から、アステリスク（＊）または米印（※）が付された範囲を除外した表である。
【０２４０】
下限値θｌ及び上限値θｕがともに正の値となることがわかる。
【０２４１】
たとえば第５シミュレーションのパネル構成において、本表に示される各Ｒｅ、Δｎｄ条件を適用し、対応する観察方位（下限値θｌ以上、上限値θｕ以下の観察方位）の極角６０°方向から液晶表示素子の表示面を観察すると、従来の理想的条件における正面観察時色度よりも色度が大きい背景色調が観察される。また、適用されるΔｎｄは、従来の理想的条件における液晶層のリタデーション以上の値をもつ。
【０２４２】
このため、液晶表示装置において、液晶表示素子を、たとえば下限値θｌ以上、上限値θｕ以下の角度だけ逆方向（時計回り方向）に回転させることにより、従来の理想的条件における液晶層のリタデーション以上のΔｎｄをもち、かつ、「少なくとも左右方位（３時−９時方位）において、短波長側の光の光抜けが抑制され、背景表示状態の青味が低減される液晶表示装置」を実現可能である。
【０２４３】
ここで、下限値θｌは、正の値であり、以下の式（９）で表される。
2017198774.tif 000031
【０２４４】
また、上限値θｕは、θｌ＜θｕを満たす正の値であり、以下の式（１０）で表される。
2017198774.tif 000032
【０２４５】
図２０Ｃは、液晶表示装置において、液晶表示素子を、たとえば下限値θｌ以上、上限値θｕ以下の角度だけ逆方向（時計回り方向）に回転させる場合に、好ましい下限値θｌ〜上限値θｕの範囲を示す表である。本表は、図２０Ｂの表に示される上限値θｕの値が２５°を超える場合に、上限値θｕを２５°に変更することで作成し、上限値θｕを２５°とした欄にシャープ（＃）を付した。
【０２４６】
たとえばモノドメイン配向の垂直配向型液晶表示素子を２５°を超える範囲で回転させた場合、明表示の左右観察時に光透過率の非対称性が著しく現れることが想定される。このため、上限値θｕの値が２５°を超える場合には、上限値θｕを２５°とする（回転角度を２５°以下とする）ことで、表示品位を向上させることができる。
【０２４７】
第５シミュレーションでは、第１パネル構成において、二軸フィルム１６ｂの厚さ方向位相差を４４０ｎｍとし、Ｃプレート１６ａを用いないものとしたが、第３パネル構成において、二軸フィルム１６ｂの厚さ方向位相差を４４０ｎｍとし、Ｃプレート１６ａを用いないとした場合も、ほぼ同等の結果が得られることがわかった。
【０２４８】
第５シミュレーション等で得られた知見に基づき、たとえば次のような液晶表示装置を第５実施例による液晶表示装置とすることができる。
【０２４９】
第５実施例による液晶表示装置も、第１実施例による液晶表示装置と同様に、第１パネル構成（図１参照。ただし、第５実施例による液晶表示装置においては、Ｃプレート１６ａは用いられない。）の液晶表示素子を、たとえば下限値θｌ以上、上限値θｕ以下の角度θだけ時計回り方向に回転させた液晶表示装置である。下限値θｌ、上限値θｕは、ともに正の角度であり、θｌ＜θｕを満たす。ここで、θ、θｌ、及び、θｕの単位は、すべて「°」である。
【０２５０】
第５実施例による液晶表示装置は、Ｃプレート１６ａを配置しない点で、第１実施例による液晶表示装置と異なる。
【０２５１】
また、下限値θｌ、上限値θｕが、以下の式（９）、（１０）で表される点で、第１実施例による液晶表示装置と異なる。 
2017198774.tif 000033
2017198774.tif 000034
【０２５２】
他の点は、第１実施例による液晶表示装置と同様である。
【０２５３】
第５実施例による液晶表示装置の表示領域（表示面）も、たとえば上方向が１２時方位、下方向が６時方位、右方向が３時方位、左方向が９時方位である。また、第５実施例による液晶表示装置も、たとえば自動車内の運転席と助手席の間のコンソールに配置される。
【０２５４】
更に、第５実施例による液晶表示装置においても、液晶層１３中央分子配向方位は（２７０−θ）°方位であり、表示領域の右方向（３時方位）から（９０＋θ）°だけ時計回り方向に回転した方向である。クロスニコル偏光板１７、１８の吸収軸方位は、液晶層１３中央分子配向方位と４５°の角度をなす方位であり、たとえば上側偏光板１７吸収軸方位は、（１３５−θ）°−（３１５−θ）°方位、下側偏光板１８吸収軸方位は、（４５−θ）°−（２２５−θ）°方位である。
【０２５５】
第５実施例による液晶表示装置も、良好な表示品位を有する液晶表示装置である。たとえば従来の理想的条件における液晶層のリタデーション以上のΔｎｄをもち、かつ、少なくとも左右方位（３時−９時方位）の６０°斜め観察において、短波長側の光の光抜けが抑制され、背景表示状態の青味が低減される液晶表示装置である。たとえば左右方位において、ブラウン系の背景色調を実現することができる。
【０２５６】
なお、角度θは、２５°以下であることが好ましい。θを２５°以下とすることで、明表示時の左右方位における光透過率の非対称性の現出を抑止することができる。
【０２５７】
第５実施例による液晶表示装置においては、液晶層１３中央分子配向方位を、表示領域の右方向から（９０＋θ）°だけ時計回り方向に回転した方向としたが、表示領域の右方向に限らず、背景色調の青味を低減したい第１方向から（９０＋θ）°だけ時計回り方向に回転した方向としてもよい。
【０２５８】
また、第１パネル構成（図１参照。ただし、第５実施例による液晶表示装置においては、Ｃプレート１６ａは用いられない。）の液晶表示素子（下側基板１２と下側偏光板１８の間に二軸フィルム１６ｂを配置する液晶表示素子）を、下限値θｌ以上、上限値θｕ以下の角度θだけ時計回り方向に回転させた液晶表示装置だけでなく、第３パネル構成（図３参照）において、Ｃプレート１６ａを用いない液晶表示素子（上側基板１１と上側偏光板１７の間に二軸フィルム１６ｂを配置する液晶表示素子）を、たとえば下限値θｌ以上、上限値θｕ以下の角度θだけ時計回り方向に回転させた液晶表示装置とすることもできる。
【０２５９】
更に、二軸フィルム１６ｂの厚さ方向位相差は、４４０ｎｍ±１０ｎｍの範囲（４３０ｎｍ〜４５０ｎｍ）でもよい。二軸フィルム１６ｂの厚さ方向位相差が４４０ｎｍの場合と同様の効果が奏されるであろう。
【０２６０】
［第６シミュレーション］
第１パネル構成において、二軸フィルム１６ｂの厚さ方向位相差を２２０ｎｍ、Ｃプレート１６ａの厚さ方向位相差を２２０ｎｍとした第６シミュレーションについて説明する。
【０２６１】
最初に、液晶層１３中央分子配向方位（６時方位）と直交し、かつ、クロスニコル偏光板１７、１８の吸収軸方位と４５°をなす方位、たとえば３時方位の極角６０°方向から観察した場合に、背景光透過率が最も低くなる視角補償条件（従来の理想的条件）をシミュレーション解析したところ、二軸フィルム１６ｂの面内位相差Ｒｅ＝５０ｎｍ、液晶層１３のリタデーションΔｎｄ＝６１０ｎｍという値が得られた。
【０２６２】
次に、二軸フィルム１６ｂの面内位相差Ｒｅ、及び、液晶層１３のリタデーションΔｎｄを様々に変化させ、正面から極角６０°に傾けた際の背景光透過率（極角６０°方向から観察される背景光透過率）の観察方位依存性を計算した。観察方位は、３時（０°）方位を基準とし、これとなす角度で表す。上側偏光板１７側（Ｚ軸正方向）から見て、観察方位が、３時方位から反時計回り方向であるとき正の角度、３時方位から時計回り方向であるとき負の角度とした。
【０２６３】
更に、背景光透過率の観察方位依存性の計算結果から、従来の理想的条件における正面観察時色度よりも色度が大きくなる観察方位範囲を算出した。
【０２６４】
図２１は、各Ｒｅ及びΔｎｄ条件において、色度が、従来の理想的条件における正面観察時色度よりも大きくなる観察方位範囲（極角６０°方向観察時）の下限値θｌ及び上限値θｕを示す表である。
【０２６５】
図２１の表には、液晶層１３のリタデーションΔｎｄが従来の理想的条件（６１０ｎｍ）よりも小さくなる下限値θｌ〜上限値θｕの範囲にアステリスク（＊）を付した。また、下限値θｌ〜上限値θｕの間に０°を含む観察方位範囲（＊が付された範囲を除く。）に米印（※）を付した。
【０２６６】
表に示されるすべての下限値θｌ〜上限値θｕの範囲に、アステリスク（＊）または米印（※）が付されている。
【０２６７】
したがって、第６シミュレーションのパネル構成においては、図７Ｂ（第１シミュレーション）、図１１Ｂ（第２シミュレーション）、図１４Ｂ（第３シミュレーション）、図１７Ｂ（第４シミュレーション）、及び、図２０Ｂ（第５シミュレーション）に示される範囲に対応する範囲は存在しないことがわかる。
【０２６８】
第６シミュレーションでは、第１パネル構成において、二軸フィルム１６ｂの厚さ方向位相差を２２０ｎｍ、Ｃプレート１６ａの厚さ方向位相差を２２０ｎｍとしたが、第２パネル構成、第３パネル構成において、それぞれ二軸フィルム１６ｂの厚さ方向位相差を２２０ｎｍ、Ｃプレート１６ａの厚さ方向位相差を２２０ｎｍとした場合も、ほぼ同等の結果が得られることがわかった。
【０２６９】
［実施例による液晶表示装置の製造方法］
実施例による垂直配向型液晶表示装置２０（図２３参照）は、たとえば次のようにして製造することができる。
【０２７０】
まず、垂直配向型液晶表示素子１０（図２２参照）を作製する。
【０２７１】
フォトリソグラフィ及びエッチング処理により、それぞれ一方面側にＩＴＯ膜（上側透明電極１１ｂ、下側透明電極１２ｂ）がパターニングされた厚さ０．７ｍｍの青板ガラス基板２枚（上側透明基板１１ａ、下側透明基板１２ａ）を準備する。
【０２７２】
基板１１ａ、１２ａの電極１１ｂ、１２ｂ形成面の少なくとも表示領域（有効表示部）に対応する領域をカバーするように、たとえばＳｉＯ２膜を上側絶縁膜１１ｃ、下側絶縁膜１２ｃとして形成する。
【０２７３】
基板１１ａ、１２ａの電極１１ｂ、１２ｂ形成面の少なくとも表示領域（有効表示部）に対応する領域をカバーするように、たとえば絶縁膜１１ｃ、１２ｃ上に、日産化学工業株式会社製の垂直配向膜材料ＳＥ４８１１を塗布し、１８０℃〜２２０℃で焼成する。
【０２７４】
垂直配向膜材料面を、布厚２．８ｍｍ〜３．２ｍｍ程度の綿製ラビング布で、それぞれ一方位へラビング処理する。ラビング条件により、完成後の液晶表示素子１０の液晶層１３のプレティルト角を、たとえば８８．５°〜８９．９°の範囲で制御する。こうしてたとえば絶縁膜１１ｃ、１２ｃ上に、配向処理された上側垂直配向膜１１ｄ、下側垂直配向膜１２ｄが形成される。
【０２７５】
以上の工程により、上側基板１１及び下側基板１２が作製される。
【０２７６】
一方の基板１１、１２の配向膜１１ｄ、１２ｄ形成面に、少なくとも表示領域（有効表示部）より大きな領域を囲むように、枠状にシール材１４を印刷する。シール材１４には、径５μｍの日本電気硝子株式会社製ガラスファイバースペーサ、及び、両基板１１、１２間の導通を確保する、積水化学工業株式会社製の金コーティングされたプラスティックボールが、それぞれ１．０ｗｔ％添加されている。
【０２７７】
他方の基板１１、１２の配向膜１１ｄ、１２ｄ形成面には、径４．９μｍの積水化学工業株式会社製プラスティックボールスペーサ１３ｓを、乾式散布法で４００個／ｍｍ２に散布する。
【０２７８】
両基板１１、１２を、配向膜１１ｄ、１２ｄ形成面が対向するように、位置合わせして重ね合わせ、基板１１、１２をプレスした状態で焼成（１５０℃）し、シール材１４を硬化させて空セルを完成させる。
【０２７９】
メルク株式会社製の、誘電率異方性が負で、屈折率異方性が０．１８の液晶材料を真空注入法で空セルに注入した後、紫外線硬化樹脂を用いて注入口を封止し、１２０℃で１時間の熱処理を行って、液晶層１３を形成する。液晶層１３のリタデーションΔｎｄは、約９００ｎｍとなる。
【０２８０】
基板１１、１２面を中性洗剤で洗浄した後、上側基板１１面に上側偏光板１７、下側基板１２面側にＣプレート１６ａ、二軸フィルム１６ｂ、下側偏光板１８を貼り合わせる。偏光板１７、１８として、たとえば株式会社ポラテクノ製の偏光板ＳＨＣ１３Ｕを使用する。Ｃプレート１６ａとしては、たとえば面内位相差Ｒｅ＝４ｎｍ、厚さ方向位相差Ｒｔｈ＝２２０ｎｍの二軸延伸加工ＣＯＰフィルム、二軸フィルム１６ｂには、たとえば面内位相差Ｒｅ＝４４ｎｍ、厚さ方向位相差Ｒｔｈ＝４４０ｎｍの二軸延伸加工ＣＯＰフィルムを用いる。偏光板１７、１８は、クロスニコルに、かつ、各々の吸収軸方位が、ラビング処理により規定される液晶層１３中央分子配向方位に対して４５°の角をなすように配置する。
【０２８１】
配向膜１１ｄ、１２ｄのラビング処理は、液晶層１３中央分子配向方位が、たとえば電極１１ｂ、１２ｂの形成態様で規定される、表示領域の右方向（０°方位）から時計回り方向に１０３°だけ回転した方向（２５７°方位）となるように施される。また、上側偏光板１７、下側偏光板１８は、たとえば吸収軸方位が、それぞれ１２２°−３０２°方位、３２°−２１２°方位となるように貼り合わせる。
【０２８２】
外部取り出し電極１５ｂ部分に、リードフレーム、異方導電性フィルムを介したフレキシブルフィルム、ドライバＩＣをボンディングする。
【０２８３】
以上の工程により、垂直配向型液晶表示素子１０が製造される。
【０２８４】
垂直配向型液晶表示素子１０に、たとえば液晶表示素子１０をマルチプレックス駆動する駆動回路２１を電気的に接続する。また、垂直配向型液晶表示素子１０の下側偏光板１８の下側に、たとえば白色光源を含むバックライトユニット２２を配置する。垂直配向型液晶表示素子１０、駆動回路２１、及び、バックライトユニット２２を、筐体２３内に固定配置する。
【０２８５】
このようにして、垂直配向型液晶表示装置２０が製造される。
【０２８６】
この液晶表示装置２０の左右方位極角約６０°方向から観察した背景の色調は、正面観察時に比べ黄ばみを呈していることが確認された。
【０２８７】
なお、この液晶表示装置２０においては、回転角度θ＝１３°であるところ、図７Ｂには、二軸フィルム１６ｂの面内位相差Ｒｅ＝４５ｎｍ、液晶層１３のリタデーションΔｎｄ＝９００ｎｍであるとき、下限値θｌ＝５°、上限値θｕ＝１２°という計算結果が記載されている。しかし、実際に作製した液晶表示素子１０においては、基板１１、１２間距離に、５μｍ±０．２μｍ程度の面内ばらつきがあることが確認されており、このため液晶表示装置２０においては、リタデーションΔｎｄのマージンが±３６ｎｍ程度存在する。したがって、たとえば回転角度θ＝１３°であるからといって、図７Ｂ記載の範囲と相容れないものではない。なお、これは、液晶層１３の厚さが均一である場合には、二軸フィルムの厚さ方向位相差Ｒｔｈのマージンが±３６ｎｍ程度見込めることと対応する。実際の市販品においては、厚さ方向位相差Ｒｔｈが４４０ｎｍである二軸フィルム（二軸延伸加工ＣＯＰフィルム）のＲｔｈの面内ばらつきは±１０ｎｍ以内であり、±１０ｎｍ以内のばらつきの範囲では、たとえば左右方位における背景色調の青味低減という効果は奏される。
【０２８８】
以上、シミュレーション及び実施例に沿って本発明を説明したが、本発明はこれらに制限されない。
【０２８９】
たとえば実施例においては、基板１１、１２（配向膜１１ｄ、１２ｄ）の双方に配向処理を施したが、基板１１、１２の少なくとも一方が液晶層１３側に配向膜１１ｄ、１２ｄを備え、配向処理は、基板１１、１２（配向膜１１ｄ、１２ｄ）の少なくとも一方側に施されていればよい。
【０２９０】
その他、種々の変更、改良、組み合わせ等が可能なことは当業者に自明であろう。
【産業上の利用可能性】
【０２９１】
様々な液晶表示装置に利用することができる。たとえば輸送機器（自動車、電車、航空機、船舶等）に搭載される液晶表示装置として利用可能である。また、産業用表示装置、計器類、民生電子機器等に用いることができる。
【０２９２】
従来の液晶表示装置の設計手法によれば、視角補償板として、たとえば厚さ方向位相差Ｒｔｈ＝４４０ｎｍである二軸フィルムを使用し、斜め方向から見た背景の色度を、従来の理想的条件における正面観察時色度よりも大きくするには、たとえば液晶層のリタデーションΔｎｄを小さくする必要があった。二軸フィルムの面内位相差Ｒｅを小さくすることも有効であるが、市販品においてはＲｅは一意に定められているため、容易に変更することはできない。
【０２９３】
実施例による液晶表示装置は、たとえば電気光学特性における急峻性を損なわず、斜め方向から見た背景の色度を、従来の理想的条件における正面観察時色度よりも大きくすることが容易に可能である。
【０２９４】
なお、第１〜第６シミュレーションでは、色度が、従来の理想的条件における正面観察時色度より大きくなる観察方位範囲を算出した。ここで、垂直配向型の液晶表示素子においては、正面観察時色度は、液晶層のリタデーションΔｎｄや、視角補償板の面内位相差Ｒｅ、及び、厚さ方向の位相差Ｒｔｈには依存しない。このため、第１〜第５実施例による液晶表示装置の正面観察時色度（ｘ，ｙ）は、従来の理想的条件における正面観察時色度（ｘ，ｙ）＝（０．３１３７１，０．３１８４１１）と等しい。したがって、実施例による液晶表示装置は、少なくとも左右方位の斜め６０°方向から観察したときの背景色度が、正面観察時背景色度よりも大きい液晶表示装置である。
【符号の説明】
【０２９５】
１０  垂直配向型液晶表示素子
１１  上側基板（コモン基板）
１１ａ  上側透明基板
１１ｂ  上側透明電極（コモン電極）
１１ｃ  上側絶縁膜
１１ｄ  上側垂直配向膜
１２  下側基板（セグメント基板）
１２ａ  下側透明基板
１２ｂ  下側透明電極（セグメント電極）
１２ｃ  下側絶縁膜
１２ｄ  下側垂直配向膜
１３  垂直配向液晶層
１３ｓ  スペーサ
１４  メインシール部
１５  外部取り出し端子部
１５ｂ  外部取り出し電極
１６  視角補償板
１６ａ  Ｃプレート
１６ｂ  二軸フィルム
１７  上側偏光板
１７ａ  偏光板偏光層
１７ｂ  ベースフィルム層
１８  下側偏光板
１８ａ  偏光板偏光層
１８ｂ  ベースフィルム層
２０  垂直配向型液晶表示装置
２１  駆動回路
２２  バックライトユニット
２３  筐体
３１  運転席
３２  助手席
【図１】
2017198774.tif 000061
【図２】
2017198774.tif 000062
【図３】
2017198774.tif 000063
【図４】
2017198774.tif 000064
【図５】
2017198774.tif 000065
【図６】
2017198774.tif 000066
【図７】
2017198774.tif 000067
【図８】
2017198774.tif 000068
【図９】
2017198774.tif 000069
【図１０】
2017198774.tif 000070
【図１１】
2017198774.tif 000071
【図１２】
2017198774.tif 000072
【図１３】
2017198774.tif 000073
【図１４】
2017198774.tif 000074
【図１５】
2017198774.tif 000075
【図１６】
2017198774.tif 000076
【図１７】
2017198774.tif 000077
【図１８】
2017198774.tif 000078
【図１９】
2017198774.tif 000079
【図２０】
2017198774.tif 000080
【図２１】
2017198774.tif 000081
【図２２】
2017198774.tif 000082
【図２３】
2017198774.tif 000083
【図２４】
2017198774.tif 000084